(57)【要約】  ポータブル電子デバイスを使用して、冷却装置と相互連絡する方法であり、冷却装置は、１つ以上の冷却コンポーネントとその１つ以上の冷却コンポーネントを制御するために適合したコントローラーとを含む冷却システムを備えており、ポータブル電子デバイスは、冷却装置のコントローラーと相互連絡するためのアプリケーションを含んでいる。その方法は、冷却装置に接近してポータブル電子デバイスを配置し、冷却装置とポータブル電子デバイスとの間で無線通信接続を確立し、ポータブル電子デバイスが接続される冷却装置に対応するポータブル電子デバイスに関する情報を表示するステップを含む。【選択図】図１Ａ
2016509193.tif 000002
【特許請求の範囲】
【請求項１】
ポータブル電子デバイスを使用した冷却装置と相互連絡する方法は、前記冷却装置が１つ以上の冷却コンポーネントを含む冷却システム、および１つ以上の冷却コンポーネントを制御するのに適したコントローラーを含み、前記ポータブル電子デバイスが、前記冷却装置の前記コントローラーと相互連絡するためのアプリケーションを備えており：前記方法は、
前記ポータブル電子デバイスを前記冷却装置に接近して配置する；
前記冷却装置と前記ポータブル電子デバイスとの間の無線通信接続を確立する；および
前記ポータブル電子デバイスが接続される前記冷却装置に対応するポータブル電子デバイスに関する情報を表示する、ステップを含む。
【請求項２】
情報を表示する前記ステップが、前記冷却装置のシリアル番号、前記冷却装置のモデル番号、ファームウェアバージョン、および前記冷却装置の名前の１つ以上を表示することを含む、請求項１の方法。
【請求項３】
情報を表示する前記ステップが、前記冷却装置をインストールすること、前記冷却装置を清掃すること、前記冷却装置を消毒すること、および拡張された期間、前記冷却装置をシャットダウンすること、の１つ以上のためのチェックリストを表示することを含む、請求項１の方法。
【請求項４】
表示された前記チェックリストの完了の経過を追跡するためにボタンの集団を操作することをさらに含む、請求項３の方法。
【請求項５】
１ステップ以上の表示された前記チェックリストを完了し、および／または前記ポータブル電子デバイスから前記冷却装置の前記コントローラーに信号を送るために１つ以上のアクション・ボタンを操作することをさらに含む、請求項３の方法。
【請求項６】
表示された前記チェックリストを完了すること、および
完了され表示された前記チェックリストのサービス記録を保存すること、さらに含む、請求項３の方法。
【請求項７】
情報を表示する前記ステップが、１つ以上のサービス記録を表示することを含む、請求項１の方法。
【請求項８】
１つ以上のサービス記録を加えることをさらに含む、請求項７の方法。
【請求項９】
前記冷却装置のファームウェアのバージョンを決定すること、
前記ポータブル電子デバイスに決定されたファームウェアバージョンを表示すること、
ポータブル電子デバイスから冷却装置にファームウェアのバージョンをアップロードすること、をさらに含む、請求項１の方法。
【請求項１０】
情報を表示する前記ステップが、ポータブル電子デバイスが接続される前記冷却装置に対応するドキュメントを表示することを含み、そこで表示された前記ドキュメントが、エイジェンシー承認書、パーツマニュアル、サービスマニュアル、ユーザ用マニュアル、性能および仕様書、および保証書の１つ以上を含む、請求項１の方法。
【請求項１１】
情報を表示する前記ステップが、前記ポータブル電子デバイスが接続される前記冷却装置の保証ステータスを表示することを含む、請求項１の方法。
【請求項１２】
情報を表示する前記ステップが、前記冷却装置の現在の動作情報を表示することを含む、請求項１の方法。
【請求項１３】
情報を表示する前記ステップが、前記冷却装置の動作情報の履歴を表示することを含む、請求項１の方法。
【請求項１４】
前記ポータブル電子デバイスを使用して前記冷却装置の保証を登録するステップをさらに含む、請求項１の方法。
【請求項１５】
保証を登録する前記ステップが、前記ポータブル電子デバイスへ保証情報を入力すること、およびウェブサイト、コンピューター、サーバーおよび前記冷却装置の１つ以上へ保証情報をアップロードすること、を含む、請求項１４の方法。
【請求項１６】
ポータブル電子デバイスの１つ以上の前記冷却コンポーネントの１つ以上の動作設定を設定し、および／または変更する、および
前記ポータブル電子デバイスを使用して前記冷却装置において設定され、および／または変更された１つ以上の動作設定を保存する、ステップをさらに含む、請求項１の方法。
【請求項１７】
前記動作設定が、氷の厚み、パージ量、温度、氷生産限度時刻、および最大氷生産限度、の１つ以上を含む、請求項１６の方法。
【請求項１８】
前記冷却装置の清掃および／またはルーチンサービスのために１つ以上のリマインダを計画すること、および１つ以上の前記リマインダを受け取るために１つ以上の受信者を選択すること、をさらに含む、請求項１の方法。
【請求項１９】
１つ以上の前記リマインダのそれぞれの頻度が調整可能である、請求項１８の方法。
【請求項２０】
１つ以上の選択された前記受信者に１つ以上のリマインダを送ることをさらに含む、請求項１８の方法。
【請求項２１】
テキスト・メッセージ、電子メール、ボイス・メール、通話、インスタント・メッセージ、カレンダーリマインダの１つ以上を介してリマインダが送られる、請求項２０の方法。
【請求項２２】
前記冷却装置が、冷却システムと水システムを含む製氷機であり、前記冷却システムが、コンプレッサ、コンデンサー・ファンおよびホット・ガス・バルブの１つ以上を含み、および水システムが、および給水ポンプ、給水口バルブおよびパージ・バルブの１つ以上を含む、請求項１の方法。
【請求項２３】
前記ポータブル電子デバイスから前記製氷機の前記コントローラーへ１つ以上の信号を送ること、および
前記ポータブル電子デバイスから送った１つ以上の信号に応じて、製氷機のコントローラーによって、コンプレッサ、コンデンサー・ファン、ホット・ガス・バルブ、給水ポンプ、給水口バルブおよびパージ・バルブの１つ以上を操作すること、により製氷機のコントローラーをオーバーライドすることをさらに含む、請求項２２の方法。
【請求項２４】
前記コンプレッサ、前記コンデンサー・ファン、前記ホット・ガス・バルブ、前記給水ポンプ、前記給水口バルブおよび前記パージ・バルブの１つ以上の動作が、ある期間継続する、請求項２３の方法。
【請求項２５】
前記ある期間が約５秒から約１分である、請求項２４の方法。
【請求項２６】
前記ポータブル電子デバイスから前記製氷機の前記コントローラーに診断ルーチンを開始するために信号を送ること、および
前記ポータブル電子デバイスから送られた１つ以上の信号に応じて前記製氷機の前記コントローラーによって診断ルーチンを開始すること、および
前記コンプレッサ、前記コンデンサー・ファン、前記ホット・ガス・バルブ、前記給水ポンプ、前記給水口バルブおよび前記パージ・バルブの１つ以上に故障モードが発生しているかどうかを検知するために、前記製氷機の前記コントローラーにより診断ルーチンを実施すること、により製氷機の１つ以上の故障を診断することをさらに含む、請求項２２の方法。
【請求項２７】
１つ以上の故障モードがコントローラーによって検知された場合、前記ポータブル電子デバイスに１つ以上の検知された故障モードの指示を表示すること、をさらに含む、請求項２６の方法。
【請求項２８】
前記コンプレッサ、前記コンデンサー・ファン、前記ホット・ガス・バルブ、前記給水ポンプ、前記給水口バルブおよび前記パージ・バルブの１つ以上の故障モードの１つ以上の潜在的な原因を、前記ポータブル電子デバイスに表示すること、をさらに含む、請求項２７の方法。
【請求項２９】
前記コンプレッサ、前記コンデンサー・ファン、前記ホット・ガス・バルブ、前記給水ポンプ、前記給水口バルブ、および前記パージ・バルブの１つ以上の動作状態を示すように、前記ポータブル電子デバイスから前記製氷機の前記コントローラーに信号を送ること、をさらに含む、請求項２６の方法。
【請求項３０】
前記コンプレッサ、前記コンデンサー・ファン、前記ホット・ガス・バルブ、前記給水ポンプ、前記給水口バルブおよび前記パージ・バルブの１つ以上の故障モードの１つ以上の潜在的な原因を、前記ポータブル電子デバイスに表示すること、をさらに含む、請求項２９の方法。
【請求項３１】
前記冷却装置が冷却システムとコンパートメントを備える冷蔵庫であり、前記冷却システムが、コンプレッサ、コンデンサー・ファン、エバポレータ・ファンおよびサーモスタットを備え、前記冷却システムが前記コンパートメントの中の温度を維持するよう構成された、請求項１の方法。
【請求項３２】
前記冷却装置が冷却システムとコンパートメントを含む冷凍庫であり、前記冷却システムはコンプレッサ、コンデンサー・ファン、エバポレータ・ファンおよびサーモスタットの１つ以上を含み、前記冷却システムが前記コンパートメントの中で温度を維持するよう構成された、列挙された請求項１の方法。
【発明の詳細な説明】
【技術分野】
【０００１】
本発明は、概ね冷却装置に関し、特に、商用、家庭用、および／または産業用の製氷機、冷蔵庫、および／または冷凍庫を含む様々な冷却装置と相互連絡するために、ポータブル電子デバイスを利用する冷却装置に関する。
【背景技術】
【０００２】
商用、家庭用および／または産業用の製氷機、冷蔵庫、および／または冷凍庫のような冷却装置は、この分野においてよく知られている。典型的には、これらの冷却装置はすごく単純化したインターフェースを持っており、高度な制御は可能ではない。しかしながら、商用、家庭用および／または産業用の製氷機、冷蔵庫、および／または冷凍庫のような冷却装置は、一般的にはそういうものとして見られないが、冷却装置は、適切で衛生的な動作条件においてそれらを保持するために維持されるべき食品処理装置である。
【発明の概要】
【発明が解決しようとする課題】
【０００３】
より豊富なユーザー経験は、冷却装置の動作のパラメーターの維持および制御に冷却装置のオペレーターにとって役立つであろう。しかしながら、冷却装置市場は商業的な競争市場であり、キーボードのようなインターフェースおよび大型表示装置の追加は、商用、家庭用および／または産業用の製氷機、冷蔵庫および／または冷凍庫のような冷却装置の価格を競争する必要のないレベルに上昇させるであろう。したがって、個々の冷却装置のコストを劇的に増加させないで、冷却装置と相互連絡し、および／または当該冷却装置をコントロールすることはシステム、方法および装置の分野において必要なものである。
【課題を解決するための手段】
【０００４】
したがって、簡潔には、本発明の一実施例は、ポータブル電子デバイスを使用して、冷却装置と相互連絡する方法に導かれている。そこでは、冷却装置が１つ以上の冷却コンポーネントを含む冷却システム、および１つ以上の冷却コンポーネントをコントロールするのに適したコントローラーを含む。また、そこでは、ポータブル電子デバイスが、冷却装置のコントローラーと相互連絡するためのアプリケーションを有する。その方法としては、冷却装置に近接してポータブル電子デバイスを配置し、冷却装置とポータブル電子デバイスとの間の無線通信接続を確立し、ポータブル電子デバイスが接続される冷却装置に対応するポータブル電子デバイスに関する情報を表示するステップを含む。
【０００５】
本発明の特徴、態様および利点は、以下の詳細な説明、添付されている請求項および図面から明らかになるであろう。ここで図面は本発明の典型的な実施例に従って特徴を説明している。
【図面の簡単な説明】
【０００６】
【図１Ａ】本発明の一実施例によるシステムの線図
【図１Ｂ】本発明の一実施例によるシステムの線図
【図１Ｃ】本発明の一実施例によるシステムの線図
【図２】本発明の一実施例によるポータブル電子デバイスのブロックダイヤグラム
【図３Ａ】本発明の一実施例による製氷機のブロックダイヤグラム
【図３Ｂ】本発明の一実施例による冷蔵庫のブロックダイヤグラム
【図３Ｃ】本発明の一実施例による冷凍庫のブロックダイヤグラム
【図４】本発明の一実施例によるポータブル電子デバイスを備えた冷却装置と相互連絡する、および／または当該冷却装置をコントロールする方法について記述するフロー・チャート
【図４Ａ】本発明の一実施例によるポータブル電子デバイスを備えた冷却装置と相互連絡する、および／または当該冷却装置をコントロールする方法のオプションのステップについて記述するフロー・チャート
【図４Ｂ】本発明の一実施例によるポータブル電子デバイスを備えた冷却装置と相互連絡する、および／または当該冷却装置をコントロールする方法のオプションのステップについて記述するフロー・チャート
【図４Ｃ】本発明の一実施例によるポータブル電子デバイスを備えた冷却装置と相互連絡する、および／または当該冷却装置をコントロールする方法のオプションのステップについて記述するフロー・チャート
【図４Ｄ】本発明の一実施例によるポータブル電子デバイスを備えた冷却装置と相互連絡する、および／または当該冷却装置をコントロールする方法のオプションのステップについて記述するフロー・チャート
【図４Ｅ】本発明の一実施例によるポータブル電子デバイスを備えた冷却装置と相互連絡する、および／または当該冷却装置をコントロールする方法のオプションのステップについて記述するフロー・チャート
【図４Ｆ】本発明の一実施例によるポータブル電子デバイスを備えた冷却装置と相互連絡する、および／または当該冷却装置をコントロールする方法のオプションのステップについて記述するフロー・チャート
【図４Ｇ】本発明の一実施例によるポータブル電子デバイスを備えた冷却装置と相互連絡する、および／または当該冷却装置をコントロールする方法のオプションのステップについて記述するフロー・チャート
【図５】本発明の様々な実施例によるポータブル電子デバイスを備えた冷却装置と相互連絡する、および／または当該冷却装置をコントロールするためのアプリケーションのスクリーン・ショット
【図６】本発明の様々な実施例によるポータブル電子デバイスを備えた冷却装置と相互連絡する、および／または当該冷却装置をコントロールするためのアプリケーションのスクリーン・ショット
【図７】本発明の様々な実施例によるポータブル電子デバイスを備えた冷却装置と相互連絡する、および／または当該冷却装置をコントロールするためのアプリケーションのスクリーン・ショット
【図８Ａ】本発明の様々な実施例によるポータブル電子デバイスを備えた冷却装置と相互連絡する、および／または当該冷却装置をコントロールするためのアプリケーションのスクリーン・ショット
【図８Ｂ】本発明の様々な実施例によるポータブル電子デバイスを備えた冷却装置と相互連絡する、および／または当該冷却装置をコントロールするためのアプリケーションのスクリーン・ショット
【図８Ｃ】本発明の様々な実施例によるポータブル電子デバイスを備えた冷却装置と相互連絡する、および／または当該冷却装置をコントロールするためのアプリケーションのスクリーン・ショット
【図９】本発明の様々な実施例によるポータブル電子デバイスを備えた冷却装置と相互連絡する、および／または当該冷却装置をコントロールするためのアプリケーションのスクリーン・ショット
【図１０Ａ】本発明の様々な実施例によるポータブル電子デバイスを備えた冷却装置と相互連絡する、および／または当該冷却装置をコントロールするためのアプリケーションのスクリーン・ショット
【図１０Ｂ】本発明の様々な実施例によるポータブル電子デバイスを備えた冷却装置と相互連絡する、および／または当該冷却装置をコントロールするためのアプリケーションのスクリーン・ショット
【図１０Ｃ】本発明の様々な実施例によるポータブル電子デバイスを備えた冷却装置と相互連絡する、および／または当該冷却装置をコントロールするためのアプリケーションのスクリーン・ショット
【図１１】本発明の様々な実施例によるポータブル電子デバイスを備えた冷却装置と相互連絡する、および／または当該冷却装置をコントロールするためのアプリケーションのスクリーン・ショット
【図１２】本発明の様々な実施例によるポータブル電子デバイスを備えた冷却装置と相互連絡する、および／または当該冷却装置をコントロールするためのアプリケーションのスクリーン・ショット
【図１３Ａ】本発明の様々な実施例によるポータブル電子デバイスを備えた冷却装置と相互連絡する、および／または当該冷却装置をコントロールするためのアプリケーションのスクリーン・ショット
【図１３Ｂ】本発明の様々な実施例によるポータブル電子デバイスを備えた冷却装置と相互連絡する、および／または当該冷却装置をコントロールするためのアプリケーションのスクリーン・ショット
【図１４】本発明の様々な実施例によるポータブル電子デバイスを備えた冷却装置と相互連絡する、および／または当該冷却装置をコントロールするためのアプリケーションのスクリーン・ショット
【図１５】本発明の様々な実施例によるポータブル電子デバイスを備えた冷却装置と相互連絡する、および／または当該冷却装置をコントロールするためのアプリケーションのスクリーン・ショット
【図１６】本発明の様々な実施例によるポータブル電子デバイスを備えた冷却装置と相互連絡する、および／または当該冷却装置をコントロールするためのアプリケーションのスクリーン・ショット
【図１７】本発明の様々な実施例によるポータブル電子デバイスを備えた冷却装置と相互連絡する、および／または当該冷却装置をコントロールするためのアプリケーションのスクリーン・ショット
【図１８】本発明の様々な実施例によるポータブル電子デバイスを備えた冷却装置と相互連絡する、および／または当該冷却装置をコントロールするためのアプリケーションのスクリーン・ショット
【図１９】本発明の様々な実施例によるポータブル電子デバイスを備えた冷却装置と相互連絡する、および／または当該冷却装置をコントロールするためのアプリケーションのスクリーン・ショット
【図２０】本発明の様々な実施例によるポータブル電子デバイスを備えた冷却装置と相互連絡する、および／または当該冷却装置をコントロールするためのアプリケーションのスクリーン・ショット
【図２１】本発明の様々な実施例によるポータブル電子デバイスを備えた冷却装置と相互連絡する、および／または当該冷却装置をコントロールするためのアプリケーションのスクリーン・ショット
【図２２】本発明の様々な実施例によるポータブル電子デバイスを備えた冷却装置と相互連絡する、および／または当該冷却装置をコントロールするためのアプリケーションのスクリーン・ショット
【図２３】本発明の様々な実施例によるポータブル電子デバイスを備えた冷却装置と相互連絡する、および／または当該冷却装置をコントロールするためのアプリケーションのスクリーン・ショット
【図２４】本発明の様々な実施例によるポータブル電子デバイスを備えた冷却装置と相互連絡する、および／または当該冷却装置をコントロールするためのアプリケーションのスクリーン・ショット
【図２５】本発明の様々な実施例によるポータブル電子デバイスを備えた冷却装置と相互連絡する、および／または当該冷却装置をコントロールするためのアプリケーションのスクリーン・ショット
【図２６】本発明の様々な実施例によるポータブル電子デバイスを備えた冷却装置と相互連絡する、および／または当該冷却装置をコントロールするためのアプリケーションのスクリーン・ショット
【図２７】本発明の様々な実施例によるポータブル電子デバイスを備えた冷却装置と相互連絡する、および／または当該冷却装置をコントロールするためのアプリケーションのスクリーン・ショット
【図２８】本発明の様々な実施例によるポータブル電子デバイスを備えた冷却装置と相互連絡する、および／または当該冷却装置をコントロールするためのアプリケーションのスクリーン・ショット
【図２９】本発明の様々な実施例によるポータブル電子デバイスを備えた冷却装置と相互連絡する、および／または当該冷却装置をコントロールするためのアプリケーションのスクリーン・ショット
【図３０】本発明の様々な実施例によるポータブル電子デバイスを備えた冷却装置と相互連絡する、および／または当該冷却装置をコントロールするためのアプリケーションのスクリーン・ショット
【図３１】本発明の様々な実施例によるポータブル電子デバイスを備えた冷却装置と相互連絡する、および／または当該冷却装置をコントロールするためのアプリケーションのスクリーン・ショット
【図３２Ａ】本発明の様々な実施例によるポータブル電子デバイスを備えた冷却装置と相互連絡する、および／または当該冷却装置をコントロールするためのアプリケーションのスクリーン・ショット
【図３２Ｂ】本発明の様々な実施例によるポータブル電子デバイスを備えた冷却装置と相互連絡する、および／または当該冷却装置をコントロールするためのアプリケーションのスクリーン・ショット
【図３３Ａ】本発明の様々な実施例によるポータブル電子デバイスを備えた冷却装置と相互連絡する、および／または当該冷却装置をコントロールするためのアプリケーションのスクリーン・ショット
【図３３Ｂ】本発明の様々な実施例によるポータブル電子デバイスを備えた冷却装置と相互連絡する、および／または当該冷却装置をコントロールするためのアプリケーションのスクリーン・ショット
【図３４】本発明の様々な実施例によるポータブル電子デバイスを備えた冷却装置と相互連絡する、および／または当該冷却装置をコントロールするためのアプリケーションのスクリーン・ショット
【図３５】本発明の様々な実施例によるポータブル電子デバイスを備えた冷却装置と相互連絡する、および／または当該冷却装置をコントロールするためのアプリケーションのスクリーン・ショット
【図３６】本発明の様々な実施例によるポータブル電子デバイスを備えた冷却装置と相互連絡する、および／または当該冷却装置をコントロールするためのアプリケーションのスクリーン・ショット
【図３７】本発明の様々な実施例によるポータブル電子デバイスを備えた冷却装置と相互連絡する、および／または当該冷却装置をコントロールするためのアプリケーションのスクリーン・ショット
【図３８】本発明の様々な実施例によるポータブル電子デバイスを備えた冷却装置と相互連絡する、および／または当該冷却装置をコントロールするためのアプリケーションのスクリーン・ショット
【図３９】本発明の様々な実施例によるポータブル電子デバイスを備えた冷却装置と相互連絡する、および／または当該冷却装置をコントロールするためのアプリケーションのスクリーン・ショット
【図４０】本発明の様々な実施例によるポータブル電子デバイスを備えた冷却装置と相互連絡する、および／または当該冷却装置をコントロールするためのアプリケーションのスクリーン・ショット
【図４１】本発明の様々な実施例によるポータブル電子デバイスを備えた冷却装置と相互連絡する、および／または当該冷却装置をコントロールするためのアプリケーションのスクリーン・ショット
【図４２】本発明の様々な実施例によるポータブル電子デバイスを備えた冷却装置と相互連絡する、および／または当該冷却装置をコントロールするためのアプリケーションのスクリーン・ショット
【図４３】本発明の様々な実施例によるポータブル電子デバイスを備えた冷却装置と相互連絡する、および／または当該冷却装置をコントロールするためのアプリケーションのスクリーン・ショット
【発明を実施するための形態】
【０００７】
本発明は、以下の明細書において述べられた、または以下の図面において描かれたコンポーネントの詳細な構成および配置の適用に制限されるものではない。本発明は、他の実施例が可能であり、様々な方法において実施され実行されるものが可能である。ここに使用される語法および用語は、本明細書のためのものであり、制限されるべきではない。例えば、ここにおける「含む」、「備える」、または「有する」文言の使用およびその変化は、その後リストされたアイテム、および追加のアイテムと同様にその等価物も包含することを意味する。
【０００８】
本発明の実施例は、商用、家庭用および／または産業用の製氷機、冷蔵庫および／または冷凍庫を含む冷却装置をコントロールし、維持し、修理するために新規およびユニークな手段を提供する。ポータブル電子デバイスは、冷却装置にデータを送信するために、および冷却装置からデータを受信するために、冷却装置に接続することができる。本発明の実施例は、製氷機、冷蔵庫および／または冷凍庫と相互連絡するために、ユーザーがポータブル電子デバイスを使用することを可能にする。相互連絡は、限定されるものではないが、動作パラメータをコントロールすること、インストールすること、診断すること、セッティングすること、および／または改良すること、そしてサービス、清掃（クリーニング）などのために行われることを含む。本発明の実施例は、さらにポータブル電子デバイスの使用がリマインダ、および／または管理目的に関する警報をもたらし受け取ることを可能にし、そしてポータブル電子デバイスが接続される冷却装置に関するドキュメントの表示、保証の登録手続き、保証情報の表示、冷却装置の動作履歴の表示、およびメーカー、ディーラー、サービスなどと連絡をとることを可能とする。従って、本発明の実施例は、それぞれの冷却装置へのユーザ・インターフェースの費用がかかる高価な追加を確実に回避している。
【０００９】
当業者によって評価されるように、本発明の実施例は、システム、方法、コンピュータ・プログラムプロダクトあるいはその任意の組合せとして具体化される。従って、本発明は、全体のハードウェアの実施例、全体のソフトウェアの実施例（ファームウェア、レジデントソフトウェア、マイクロコードなどを含む）の形式をとってもよいし、あるいは、ここに「回路」、「モジュール」、または「システム」として一般的に参照されるソフトウェアおよびハードウェアの態様を結合する実施例の形式を含んでもよい。更に、本発明は、媒体の中に組み込まれたコンピュータ使用可能なプログラムコードを有するいかなる実際の媒体に組み込まれたコンピュータプログラム製品の形式をとってもよい。
【００１０】
本発明は、プログラムモジュールのような、コンピューターによって実行されるコンピューター実行可能命令の一般的状況において述べられている。一般的に、プログラムモジュールは、ルーチン、プログラム、オブジェクト、コンポーネント、データ構造などを含んでおり、それらは、特別のタスクを実行し、または特別のアブストラクトデータ形式を実装する。また、本発明は、通信網を介して繋がっている遠隔処理装置によりタスクが実行される分散コンピューティング環境において実行されてもよい。分散コンピューティング環境では、プログラムモジュールは、メモリ記憶装置を含むローカルおよび遠隔コンピュータ記憶媒体の両方に位置してもよい。
【００１１】
一つ以上のコンピュータ使用可能な媒体、あるいはコンピュータ読み取り可能な媒体の如何なる組合せも利用可能である。例えば、コンピュータ使用可能な媒体、またはコンピュータ読み取り可能な媒体は、限定されるものではないが、例えば、電子、磁気、光学、電磁気、赤外線、即ち半導体のシステム、機器、装置、または伝達媒体である。コンピュータ読み取り可能な媒体の更に特別な例として（包括的でないリスト）は、下記のものを含む：１本以上のワイヤーを有する電気接続、ポータブル・コンピューター・ディスケット、ハードディスク、ランダムアクセスメモリ（ＲＡＭ）、読み取り専用メモリ（ＲＯＭ）、消去可能プログラム可能読み取り専用メモリ（ＥＰＲＯＭまたはフラッシュ・メモリー）、光ファイバー、ポータブルのコンパクト・ディスク読み出し専用メモリー（ＣＤＲＯＭ）、光学的記憶装置、インターネットまたはイントラネットをサポートするような伝送メディア、または磁気記憶装置である。媒体使用可能コンピューター使用可能媒体、またはコンピュータ読み取り可能媒体は、電子的にプログラムを捕らえることができるので、プログラムが印刷されている紙または別の適切な媒体でもよく、例えば、紙あるいは他の媒体の光学的に走査されて、その後、コンパイルされ、解釈され、または必要ならば、適切な別の方法で処理されるので、紙または別の適切な媒体でもよい。このドキュメントのコンテキストにおいて、コンピューター使用可能な媒体またはコンピューター読み取り可能な媒体は、命令実行のシステム、機器、または装置により使用される、あるいは関連するプログラムを含んでいるか記憶することができるあらゆる媒体である。
【００１２】
本発明の実行オペレーションのためのコンピュータープログラム・コードは、限定されないけれど、例えばＪａｖａ（登録商標）、Ｓｍａｌｌｔａｌｋ、Ｃ＋＋、Ｃ＃などのようなオブジェクト指向プログラミング言語、例えば「Ｃ」プログラミング言語のような従来の手続き的なプログラミング言語、あるいは同様のプログラミング言語を含む、１つ以上のプログラミング言語の任意の組合せの中で書かれてもよい。プログラムコードは、全体的にポータブル電子デバイス上において、部分的にはポータブル電子デバイスまたはスタンドアロン型パッケージソフトとしての冷却装置において、部分的なポータブル電子デバイスおよび部分的な遠隔コンピュータにおいて、または全体的に遠隔コンピュータまたはサーバーにおいて実行されてもよい。後のシナリオにおいては、遠隔コンピュータは、ローカルエリアネットワーク（ＬＡＮ）または広域ネットワーク（ＷＡＮ）を含む任意の形式のネットワークを通ってポータブル電子デバイスに接続されてもよいし、または、接続が、外部コンピュータ（例えば、インターネット・サービス・プロバイダーを利用するインターネットを通して）になされてもよい。
【００１３】
図１Ａ−１Ｃにおいて描かれているように、ポータブル電子デバイス１００は、ポータブル電子デバイス１００が冷却装置１０００と相互連絡する、および／または冷却装置１０００を制御することができるように、限定されるものではないが、製氷機１０、冷蔵庫２００および冷凍庫２０４を含む様々な冷却装置１０００に接続してもよい。様々な実施例においては、ポータブル電子デバイス１００は、スマートフォン、タブレットコンピュータ、ポータブル音楽プレーヤー（例えば、ｍｐ３プレーヤー）、ポータブルゲーム機、コンピューター、および／または製氷機１０、冷蔵庫２００および／または冷凍庫２０４をコントロールするのに適している如何なる形式のポータブル電子デバイスを含んでいる。製氷機１０、冷蔵庫２００および冷凍庫２０４は、家庭用、商用、または産業用の冷却装置１０００であってもよい。ポータブル電子デバイス１００は、製氷機１０、冷蔵庫２００および／または冷凍庫２０４に接続することができ、通信することができるトランシーバー１０６を含んでもよい。ポータブル電子デバイス１００は、このため製氷機１０、冷蔵庫２００および／または冷凍庫２０４とデータを送受信することができる。従って、ポータブル電子デバイス１００は、製氷機１０、冷蔵庫２００および／または冷凍庫２０４におけるデータにアクセス、読み取りおよび／または書き込みできる。ポータブル電子デバイス１００のこれらおよび他のコンポーネントは、図２に関して、この明細書の他の部分においてより詳細に記載される。製氷機１０は、冷却システム１１、水システム５０およびトランシーバー８８を有するコントローラー８０を含んでもよい。製氷機１０のコンポーネントは、図３Ａに関して、この明細書の他の部分においてより詳細に記載される。冷蔵庫２００は、冷却システム２０１およびトランシーバー８８を有するコントローラー８０を含んでもよい。冷蔵庫２００のこれらおよび他のコンポーネントは、図３Ｂに関して、この明細書の他の部分においてより詳細に記載される。冷凍庫２０４は、冷却システム２０１およびトランシーバー８８を有するコントローラー８０を含んでもよい。冷凍庫２０４のこれらおよび他のコンポーネントは、図３Ｃに関して、この明細書の他の部分においてより詳細に記載される。
【００１４】
図１Ａ、１Ｂおよび１Ｃにおいて示されているように、様々な実施例においては、ポータブル電子デバイス１００が、限定されるものではないが、Ｂｌｕｅｔｏｏｔｈ（登録商標）、近距離無線通信（ＮＦＣ）、Ｗｉ−Ｆｉ、または他の無線通信プロトコルを含む様々な方法で冷却装置１０００に接近した場合、ポータブル電子デバイス１００は、リンク１２４を介して、冷却装置１０００（例えば、製氷機１０、冷蔵庫２００および／または冷凍庫２０４）と直接的に通信してもよい。図１Ａに示されているように、特定の実施例では、冷却装置１０００は製氷機１０でもよい。図１Ｂに示されているように、特定の実施例では、冷却装置１０００は冷蔵庫２００でもよい。図１Ｃに示されているように、特定の実施例では、冷却装置１０００は冷凍庫２０４でもよい。
【００１５】
他の実施例においては、ポータブル電子デバイス１００は、冷却装置１０００（例えば、製氷機１０、冷蔵庫２００および／または冷凍庫２０４）と間接的に通信するかもしれない。従って、特定の実施例では、例えば、ポータブル電子デバイス１００および冷却装置１０００（例えば、製氷機１０、冷蔵庫２００および／または冷凍庫２０４）は、リンク１２６、１２８を介して、無線アクセス・ポイント１３０にそれぞれ接続してもよい。無線アクセス・ポイント１３０は、Ｂｌｕｅｔｏｏｔｈ（登録商標）、Ｗｉ−Ｆｉまたは他の無線通信プロトコルを使用して通信してもよい。さらにポータブル電子デバイス１００および冷却装置１０００（例えば、製氷機１０、冷蔵庫２００および／または冷凍庫２０４）は、無線アクセス・ポイント１３０を介して、１つ以上のネットワーク１４０にアクセスしてもよい。ネットワーク１４０は、限定されるものではないが、ＬＡＮ、ＷＡＮ、インターネット、または任意の形式、および／または当分野において既知のネットワークの構成を含んでもよい。
【００１６】
１つ以上のサーバー、コンピューターあるいは当分野において既知の他のネットワークコンポーネントが、ネットワーク１４０に接続されてもよいし、ポータブル電子デバイス１００および／または冷却装置１０００によってアクセスされてもよい。特定の実施例においては、例えば、ポータブル電子デバイス１００メーカー、および／またはポータブル電子デバイス１００オペレーティングシステム１１４（図２参照）開発者のコンピューターまたはサーバー１４２が、ネットワーク１４０に接続されてもよい。他の実施例では、例えば、冷却装置１０００のオーナーのコンピューターまたはサーバー１４４は、追加的にまたは代替的にネットワーク１４０に接続されてもよい。また、他の実施例においては、例えば、冷却装置１０００のメーカーのコンピューターまたはサーバー１４６は、追加的にまたは代替的にネットワーク１４０に接続されてもよい。また、他の実施例においては、限定されるものではないが、例えば、冷却装置１０００のサービス提供者、冷却装置１０００のディーラーなどを含む第三者のコンピューターまたはサーバー１４８が、追加的にまたは代替的にネットワーク１４０に接続されてもよい。従って、ポータブル電子デバイス１００および／または冷却装置１０００は、１つ以上のコンピューターあるいはサーバー１４２、１４４、１４６、１４８、あるいはネットワーク１４０に接続した他のネットワークコンポーネント（図示せず）の１つ以上にデータを送信し（例えば、アップロード）、および／またはそれらの１つ以上からデータを受信する（例えば、ダウンロード）ことができる。
【００１７】
ここで図２を参照すると、ポータブル電子デバイス１００の一実施例のブロックダイヤグラムが記述されている。ポータブル電子デバイス１００は、プロセッサ１０４、トランシーバー１０６、ユーザ・インターフェース１０８、メモリ１１０、および／または入出力（Ｉ／Ｏ）コンポーネント１２２を含んでもよい。バス１０２は、プロセッサ１０４、トランシーバー１０６、ユーザ・インターフェース１０８、メモリ１１０および／またはＩ／Ｏコンポーネント１２２の間のデータ通信を提供してもよい。プロセッサ１０４は、ポータブル電子デバイス１００のオペレーションをコントロールしてもよいし、バス１０２を介してトランシーバー１０６、ユーザ・インターフェース１０８、メモリ１１０および／または入出力コンポーネント１２２と相互連絡するようにしてもよい。プロセッサ１０４は、例えば市販のマイクロプロセッサー、特定用途向けＩＣ（ＡＳＩＣ）あるいはＡＳＩＣの組合せでもよく、それらは、１つ以上の特定の機能を達成し、あるいは１つ以上の特定の装置またはアプリケーションを可能にするように設計されている。従って、プロセッサ１０４は、限定されるものではないが、例えば、スマートフォン、タブレット、コンピューターなどを含むポータブル電子デバイスにおいて典型的に使用されているいずれの形式のプロセッサを含んでもよい。特定の実施例においては、プロセッサ１０４は１つ以上のマイクロプロセッサーおよび／または１つ以上のコプロセッサを有している。
【００１８】
トランシーバー１０６は、ポータブル電子デバイス１００と冷却装置１０００との間の無線通信接続またはリンクを提供することができるトランシーバモジュールの集団を含んでいる。特定の実施例において、例えば、トランシーバー１０６は、リンク１２４により示されているように、製氷機１０、冷蔵庫２００および／または冷凍庫２０４との無線通信接続をポータブル電子デバイス１００が確立することを可能とする（図１Ａ−１Ｃ参照）。様々な実施例において、例えば、トランシーバー１０６は、Ｂｌｕｅｔｏｏｔｈ（登録商標）を介してポータブル電子デバイス１００と製氷機１０、冷蔵庫２００および／または冷凍庫２０４との間の通信を可能とする。他の実施例では、例えば、トランシーバー１０６は、近距離無線通信（ＮＦＣ）を介してポータブル電子デバイス１００と製氷機１０、冷蔵庫２００および／または冷凍庫２０４との間の通信を可能とする。また他の実施例では、トランシーバー１０６は、ポータブル電子デバイス１００と、限定されるものではないが、ＧＳＭ（登録商標）、ＩＳ−９５（ＣＤＭＡ）、ＵＭＴＳ、Ｗｉ−Ｆｉ、ＷｉＭＡＸあるいは他の無線通信プロトコルを含む様々な通信プロトコルを使用する製氷機１０、冷蔵庫２００および／または冷凍庫２０４との間の直接的および／または間接的な通信を可能とする。特定の実施例において、例えば、トランシーバー１０６は、リンク１２６を介して無線アクセス・ポイント１３０にポータブル電子デバイス１００が接続されることを可能にし、そしてリンク１２４（図１Ａ−１Ｃ参照）の代わりに、あるいはそのリンクに加えてリンク１２８を介して製氷機１０、冷蔵庫２００および／または冷凍庫２０４にポータブル電子デバイス１００が接続することを可能にする。さらに、トランシーバー１０６は、ポータブル電子デバイス１００が無線アクセス・ポイント１３０（図１Ａ−１Ｃ参照）を介して１つ以上のネットワーク１４０にアクセスすることを可能にするかもしれない。ネットワーク１４０（図１Ａ−１Ｃ参照）は、限定されるものではないが、ＬＡＮ、ＷＡＮ、インターネットあるいは任意の形式、および／または当分野における既知のネットワークの構成を含んでいてもよい。従って、また、トランシーバー１０６は、ポータブル電子デバイス１００が、１つ以上の広域ネットワーク、ローカルネットワークあるいは他のネットワークを介して、リモートサーバーに、コンピューターまたはサーバー１４２、１４４、１４６および／または１４８に、インターネットに、製氷機１０に、冷蔵庫２００に、冷凍庫２０４に、および／または他のポータブル電子デバイス１００に接続することを可能にする。
【００１９】
特定の実施例においては、Ｉ／Ｏコンポーネント１２２が、様々な適切な通信インタフェースを含んでいるかもしれない。例えば、Ｉ／Ｏコンポーネント１２２は、標準シリアルポート、パラレルポート、ユニバーサル・シリアル・バス（ＵＳＢ）ポート、Ｓビデオポート、ローカルエリアネットワーク（ＬＡＮ）ポート、および小型コンピュータ用周辺機器インターフェース（ＳＣＳＩ）ポートのような有線接続を含んでいてもよい。さらに、他の実施例においては、Ｉ／Ｏコンポーネント１２２は、例えば、赤外線ポート、光学ポート、Ｂｌｕｅｔｏｏｔｈ（登録商標）無線ポート、無線ＬＡＮポートなどのような無線接続を含んでもよい。
【００２０】
メモリ１１０はオペレーティングメモリとデータ格納メモリを操作することを含んでいてもよい。オペレーティングメモリはランダムアクセスメモリ（ＲＡＭ）を含んでもよい。また、データ格納メモリは読み取り専用メモリ（ＲＯＭ）、フラッシュ・メモリ、ハードドライブ、あるいは当分野における既知の他のメモリ／記憶素子を含んでもよい。特定の実施例においては、メモリ１１０は磁気（例えば、ハードディスクまたは駆動装置、テープなど）、光学（例えば、コンパクトディスク、ＤＶＤなどを）、および／または半導体メモリ（例えば、ＲＡＭ、ＲＯＭ、フラッシュ・メモリまたは駆動装置など）を単独であるいは組合せにで含んでもよい。
【００２１】
特定の実施例においては、メモリ１１０は、プロセッサ１０４によって実行されるソフトウェアモジュール１１２を格納してもよい。ソフトウェアモジュール１１２はオペレーティングシステム１１４および１つ以上のアプリケーション１１６を含んでいてもよい。特定の実施例において、１つのアプリケーション１１６は、開始させるかもしれないし、ポータブル電子デバイス１００が、製氷機１０、冷蔵庫２００および／または冷凍庫２０４と相互連絡して、制御することを可能にする冷却装置コントロールアプリケーション１１８を含んでいてもよい。特定の実施例においては、冷却装置コントロールアプリケーション１１８が、ポータブル電子デバイス１００にプリインストールされていてもよい。他の実施例においては、冷却装置コントロールアプリケーション１１８は、１つ以上のコンピュータあるいはサーバー１４２、１４４、１４６および１４８からダウンロードされてもよい。
【００２２】
さらに、データ１２０はメモリ１１０に格納されるかもしれない。データ１２０は、冷却装置コントロールアプリケーション１１８によって読み込まれ、記載され、および／またはアクセスされてもよいし、製氷機１０、冷蔵庫２００および／または冷凍庫２０４に関する情報および／またはアプリケーションデータを含んでいてもよい。また、データ１２０は、限定されるものではないが、コンタクトリスト、イメージ、電子メール・メッセージ、テキスト・メッセージ、ボイス・メール・メッセージ、および／またはポータブル電子デバイス１００上で典型的に格納されたいかなる他の形式のデータを含む他のアプリケーションデータを含んでいてもよい。データ１２０は、この明細書の別のところで詳細に述べているように、冷却コントロールアプリケーション１１８によって読み込まれ、記載されおよび／または実行される様々な記録を含んでいてもよい。
【００２３】
ポータブル電子デバイス１００は、限定されるものではないが、タッチセンサー式入力面、表示スクリーン、マイクロホン、スピーカー、キーボード、またはキーパッドなどを含むポータブル電子デバイスで典型的に含まれるいかなるユーザ・インターフェースあるいはプレゼンテーション・エレメントを含んでいるユーザ・インターフェース１０８を含んでいてもよい。表示スクリーンは、限定されるものではないが、本発明の範囲から逸脱しない範囲で、液晶ディスプレイ（ＬＣＤ）スクリーン、１つ以上の発光ダイオードなど（ＬＥＤ）を含むディスプレイの形式および／またはコンポネントを含んでもよい。ポータブル電子デバイス１００は、本発明の範囲から逸脱しない範囲で、ここに記載されたものに加えて他の典型的な構成を含んでもよい。
【００２４】
ここで図３Ａ−３Ｃを参照すると、製氷機１０、冷蔵庫２００および冷凍庫２０４を含む冷却装置１０００の実施例は、詳細に記述されている。図３Ａにおいてブロックダイヤグラムとして描いているように、製氷機１０は、コントローラー８０、冷却システム１１および水システム５０を含めてもよい。冷却システム１１は、コンプレッサ１２、コンデンサー（図示せず）、熱膨張装置（図示せず）、エバポレータ・アセンブリ（図示せず）、エバポレータ・アセンブリに熱的に結合された凍結プレート（図示せず）、およびホット・ガス・バルブ２４を含んでもよい。さらに、コンデンサーを冷却するためにガス冷却媒体（例えば、空気）を利用する特定の実施例において、コンデンサー・ファン１５はコンデンサーを横切ってガス冷却媒体が吹き付けられるように配置されてもよい。水システム５０は、給水口バルブ５２、パージ・バルブ５６、給水ポンプ６２、水ディストリビューター（図示せず）、給水ポンプ６２と水ディストリビューター（図示せず）との流体連結で接続された水ライン（図示せず）、および水を保持するのに適した凍結プレートの下に位置した水溜（図示せず）を含んでもよい。製氷機１０は、本発明の範囲から逸脱しない範囲で、この明細書に記載されていない従来の他の構成を含んでもよい。製氷機１０は当分野において氷を生産するために知られている典型的な方法において動作させてもよい。
【００２５】
製氷機１０のコントローラー８０は、プロセッサ８２、トランシーバー８８、メモリ９０、および入出力（Ｉ／Ｏ）コンポーネント９９を含めてもよい。バス８４は、プロセッサ８２、トランシーバー８８、メモリ９０、および入出力コンポーネント９９の間のデータ通信を提供してもよい。プロセッサ８２は、製氷機１０の動作をコントロールしてもよく、バス８４を介してトランシーバー８８、メモリ９０、および入出力（Ｉ／Ｏ）コンポーネント９９と相互連絡してもよい。入出力（Ｉ／Ｏ）コンポーネント９９は、コントローラー８０が製氷機１０の様々なコンポーネントと通信することを可能にし、および／または制御することを可能としてもよい。特定の実施例においては、例えば、コントローラー８０は、ハーベストセンサー（図示せず）、電源（図示せず）、および／または、限定されるものではないが、圧力変換器、温度センサー、音響センサーなどを含む様々なセンサーおよび／またはスイッチからの入力を受け取る構成でもよい。様々な実施例においては、コントローラー８０は、例えば、これらの入力に基づいて、コンプレッサ１２、コンデンサー・ファン１５、およびホット・ガス・バルブ２４を含む冷却システム１１のコンポーネントの動作をコントロールすることができる。コントローラー８０は、さらに給水口バルブ５２、パージ・バルブ５６および給水ポンプ６２を含む水システム５０のコンポーネントの動作をコントロールすることができる。
【００２６】
特定の実施例においては、Ｉ／Ｏコンポーネント９９は様々な適切な通信インタフェースを含むことができる。例えば、Ｉ／Ｏコンポーネント９９は、標準シリアルポート、パラレルポート、ユニバーサル・シリアル・バス（ＵＳＢ）ポート、Ｓビデオポート、ローカルエリアネットワーク（ＬＡＮ）ポートおよび小型コンピュータ用周辺機器インターフェース（ＳＣＳＩ）ポートのような有線接続を含むことができる。さらに、他の実施例においては、Ｉ／Ｏコンポーネント９９が、例えば、赤外線ポート、光学ポート、Ｂｌｕｅｔｏｏｔｈ（登録商標）無線ポート、無線ＬＡＮポートなどのような無線接続を含んでもよい。
【００２７】
プロセッサ８２は、例えば、１つ以上の特定の機能を達成するか、または１つ以上の特定の装置あるいはアプリケーションを可能にするように設計された、市販のマイクロプロセッサー、特定用途向けＩＣ（ＡＳＩＣ）あるいはＡＳＩＣの組合せでもよい。特定の実施例においては、製氷機１０のプロセッサ８２はポータブル電子デバイス１００のプロセッサ１０４に類似しているかもしれない。特定の実施例においては、プロセッサ１０４は１個以上のマイクロプロセッサーおよび／または１つ以上のコプロセッサを有していてもよい。
【００２８】
製氷機１０のトランシーバー８８は、製氷機１０とポータブル電子デバイス１００の間のコミュニケーションを提供することができるトランシーバモジュールの集団を含んでいてもよい。特定の実施例においては、製氷機１０のトランシーバー８８は、構成および／またはオペレーションにおいて、ポータブル電子デバイス１００のトランシーバー１０６に類似してもよい。特定の実施例においては、例えば、トランシーバー８８は、製氷機１０がリンク１２４によって示されるように、ポータブル電子デバイス１００を備えた無線通信接続を確立することを可能にする（図１Ａ−１Ｃ参照）。様々な実施例においては、例えば、トランシーバー８８は、Ｂｌｕｅｔｏｏｔｈ（登録商標）によって製氷機１０とポータブル電子デバイス１００の間の通信を可能とする。他の実施例においては、例えば、トランシーバー８８は、近距離無線通信（ＮＦＣ）によって製氷機１０とポータブル電子デバイス１００の間の通信を可能とする。また、他の実施例においては、トランシーバー８８は、ＧＳＭ（登録商標）、ＩＳ−９５（ＣＤＭＡ）、ＵＭＴＳ、Ｗｉ−Ｆｉ、ＷｉＭＡＸあるいは他の無線通信プロトコルを含み、これらに限定されずに、様々な通信プロトコルを使用して、製氷機１０とポータブル電子デバイス１００との間の通信を直接的および／または間接的に可能とする。ある実施例においては、例えば、トランシーバー８８は、リンク１２８を介して無線アクセス・ポイント１３０に、およびリンク１２６介してポータブル電子デバイス１００に製氷機１０を接続することを可能にする（図１Ａ参照）。さらに、トランシーバー８８は、製氷機１０が無線アクセス・ポイント１３０を介して１つ以上のネットワーク１４０にアクセスすることを可能にしてもよい（図１Ａ参照）。ネットワーク１４０（図１Ａ参照）は、限定されるものではないが、ＬＡＮ、ＷＡＮ、インターネット、または当分野においては既知のあらゆる形式、および／またはネットワークの構成を含んでもよい。従って、トランシーバー８８は、製氷機１０が、１つ以上の広域ネットワーク、ローカルネットワークあるいは他のネットワークを介して、１つ以上のコンピューターまたはサーバー１４２、１４４、１４６および／または１４８に、リモートサーバーに、インターネットに、および／またはポータブル電子デバイス１００に接続することを可能としてもよい。
【００２９】
製氷機１０のメモリ９０は、動作メモリとデータ格納メモリを含んでもよい。特定の実施例においては、製氷機１０のメモリ９０は、ポータブル電子デバイス１００のメモリ１１０の構成および／または動作において類似している。動作メモリはランダムアクセス記憶装置（ＲＡＭ）を含んでもよい。また、データ格納メモリは読み取り専用メモリ（ＲＯＭ）、フラッシュ・メモリー、ハードドライブあるいは当分野における既知の他のメモリ／メモリ素子を含んでもよい。特定の実施例においては、メモリ９０は、磁気（例えば、ハードディスクまたはハードドライブ、テープなど）、光学（例えば、コンパクトディスク、ＤＶＤなど）、および／または半導体メモリ（例えば、ＲＡＭ、ＲＯＭ、フラッシュ・メモリー、またはフラッシュ・メモリ駆動など）を単独であるいはそれらの組合せを含んでもよい。
【００３０】
特定の実施例においては、製氷機１０のメモリ９０は、プロセッサ８２によって実行されるソフトウェアモジュール９２を格納してもよい。ソフトウェアモジュール９２は、オペレーティングシステム９４および／または製氷機１０の動作をコントロールすることができる製氷機ファームウェア９６ａを含んでもよい。さらに、データ９８は、メモリ９０に保存してもよい。データ９８は、製氷機１０に関する情報および／またはアプリケーションデータのデータを含んでもよい。データ９８は、製氷機ファームウェア９６ａおよび／または製氷機１０のオペレーティングシステム９４により読み込まれ、記載され、および／または実行されてもよい。様々な実施例においては、データ９８は、限定されるものではないが、動作のセッティングまたはパラメーター、保証情報、パフォーマンス履歴、製氷機１０の名前、サービス記録、インストール記録、クリーニング記録、イベント・ログなどを含んでいてもよい。
【００３１】
ポータブル電子デバイス１００が製氷機１０に接続される場合、ポータブル電子デバイス１００は製氷機１０へ信号を送り、製氷機１０によって送られた信号を受け取ってもよい。従って、ポータブル電子デバイス１００は、コントローラー８０への送信信号によって製氷機１０におけるいくつかのまたは全てのコンポーネントの動作パラメーターをコントロールし、および／または設定し、および／または変更するのに適している。そこにおいて、それらの信号は、製氷機１０のコントローラー８０によって受け取ることができ、また、それらの信号は、設定され、および／または変更された動作パラメーターにしたがってコントローラー８０に機能を実行させ、および／または製氷機１０の１つ以上のコンポーネントを動作させる。したがって、特定の実施例においては、例えば、ポータブル電子デバイス１００がコントローラー８０に機能を実行させ、および／または製氷機１０における１つ以上のコンポーネントを動作させるように、ポータブル電子デバイス１００は、コントローラー８０をオーバーライドすることにより、製氷機１０をコントロールしてもよい。特定の実施例においては、例えば、ポータブル電子デバイス１００は、製氷機ファームウェア９６ａをオーバーライドすることにより製氷機１０を制御してもよい。特定の実施例においては、例えば、ポータブル電子デバイス１００は、機能を直接的に実行することにより、および／または製氷機１０の１つ以上のコンポネントを直接的に動作させることにより、製氷機１０を制御してもよく、それによって、製氷機１０のコントローラー８０をバイパスしている。さらに、製氷機１０のコントローラー８０は、製氷機１０に接続されたポータブル電子デバイス１００を要求することなく、設定された、および／または変更された動作パラメーターに従って、製氷機１０の１つ以上のコンポーネントを操作することができる。
【００３２】
さらに、様々な実施例においては、ポータブル電子デバイス１００は、製氷機１０のコントローラー８０のメモリ９０に格納された情報を読み取り、書き込み、および／または実行することができる。従って、様々な実施例においては、ポータブル電子デバイス１００はオペレーティングシステム９４、製氷機ファームウェア９６ａおよび／または製氷機１０のコントローラー８０のメモリ９０上のデータ９８を読み取り、書き込み、および／または実行することができる。製氷機１０のコントローラー８０のメモリ９０上のデータ９８は、この明細書の他の部分においてより詳細に記載されるように冷却コントロールアプリケーション１１８によって読み込まれ、書き込まれ、および／または実行された様々な記録を含んでもよい。
【００３３】
図３Ｂおよび３Ｃにおいて示したように、冷蔵庫２００および冷凍庫２０４は、製氷機１０と同様のコンポーネントを含んでもよい。冷蔵庫２００および冷凍庫２０４は、低い温度Ｔでコンパートメント２０６の内部を維持するために冷却システム２０１を含んでもよい。冷却システム２０１は、コントローラー８０によって制御されるコンプレッサ１２、コンデンサー・ファン１５、エバポレータ・ファン２０２およびサーモスタット２０８の１つ以上を含んでもよい。特定の実施例においては、冷蔵庫２００および／または冷凍庫２０４は１台以上の冷却システムを含んでもよい。特定の実施例においては、また、冷蔵庫２００および／または冷凍庫２０４が、例えば家庭用の冷蔵庫および／または冷凍庫において氷を作る場合、冷蔵庫２００および／または冷凍庫２０４は、製氷機１０のそれと類似の水システムを含んでもよい。さらに、冷蔵庫２００および／または冷凍庫２０４のコントローラー８０は、製氷機１０のコントローラー８０に本質的に類似していてもよく、または同一でもよい。即ち、冷蔵庫２００および／または冷凍庫２０４は、例えば、図３Ｂおよび３Ｃに示すように、プロセッサ８２、トランシーバー８８、入出力（Ｉ／Ｏ）コンポーネント９９、バス８４および／またはソフトウェアモジュール９２、オペレーティングシステム９４およびデータ９８を含むメモリ９０を有するコントローラー８０を含んでもよい。製氷機ファームウェア９６ａの代わりに、冷蔵庫２００は、冷却システム２０１をコントロールするための冷蔵庫ファームウェア９６ｂを含んでいてもよい。また、冷凍庫２０４は、冷却システム２０１をコントロールするための冷凍庫ファームウェア９６ｃを含んでいてもよい。いくつかの実施例において、例えば、製氷機１０、冷蔵庫２００および冷凍庫２０４のそれぞれにおけるファームウェアは、同じでもよい。従って、冷蔵庫２００および冷凍庫２０４の様々なコンポーネントが、前述の製氷機１０のコンポーネントに対応する構成および／または動作において類似しているだろうことは理解されであろう。冷蔵庫２００および冷凍庫２０４は、本発明の範囲を逸脱しない範囲でここに述べていない他の従来のコンポーネントを有してもよい。冷蔵庫２００および冷凍庫２０４は、当分野において既知の典型的な方法で動作してもよい。
【００３４】
製氷機１０と同様に、ポータブル電子デバイス１００は、冷蔵庫２００および／または冷凍庫２０４を制御するために冷蔵庫２００および／または冷凍庫２０４に接続してもよい。ポータブル電子デバイス１００が冷蔵庫２００および／または冷凍庫２０４に接続される場合、ポータブル電子デバイス１００は冷蔵庫２００および／または冷凍庫２０４へ信号を送ってもよいし、冷蔵庫２００および／または冷凍庫２０４によって送られた信号を受け取ってもよい。従って、ポータブル電子デバイス１００は、コントローラー８０に信号を送信することにより冷蔵庫２００および／または冷凍庫２０４のコンポーネントのいくつかの、または全ての動作パラメータを制御し、および／または設定し、および／または変更するのに適していてもよい。ここにおいて、これらの信号は、冷蔵庫２００および／または冷凍庫２０４のコントローラー８０により受け取ることができ、そしてこれらの信号は、コントローラー８０に機能を実行させ、設定され、変更された動作パラメータに従って冷蔵庫２００および／または冷凍庫２０４の１つ以上のコンポネントを動作させる。従って、例えば、特定の実施例においては、ポータブル電子デバイス１００がコントローラー８０に機能を実行させ、および／または、冷蔵庫２００および／または冷凍庫２０４の１つ以上のコンポーネントを動作させるように、ポータブル電子デバイス１００は、コントローラー８０をオーバーライドして冷蔵庫２００および／または冷凍庫２０４を制御してもよい。特定の実施例においては、例えば、ポータブル電子デバイス１００は、製氷機ファームウェア９６ａをオーバーライドして冷蔵庫２００および／または冷凍庫２０４を制御してもよい。特定の実施例においては、例えば、ポータブル電子デバイス１００は、直接的に機能を実行し、および／または、冷蔵庫２００および／または冷凍庫２０４の１つ以上のコンポーネントを直接的に操作することにより、冷蔵庫２００および／または冷凍庫２０４を制御して、冷蔵庫２００および／または冷凍庫２０４のコントローラー８０をオーバーライドしてもよい。さらに、冷蔵庫２００および／または冷凍庫２０４のコントローラー８０は、冷蔵庫２００および／または冷凍庫２０４に接続されたポータブル電子デバイス１００を要求することなく、設定された、および／または変更された動作パラメーターに従って、冷蔵庫２００および／または冷凍庫２０４の１つ以上のコンポーネントを操作することができる。
【００３５】
さらに、様々な実施例においては、ポータブル電子デバイス１００は、冷蔵庫２００および／または冷凍庫２０４のコントローラー８０のメモリに記憶された情報を書き込み、読み取りおよび／または実行することができる。従って、様々な実施例においては、ポータブル電子デバイス１００は、オペレーティングシステム９４、冷蔵庫ファームウェア９６ｂ、冷凍庫ファームウェア９６ｃ、および／または冷蔵庫２００および／または冷凍庫２０４のコントローラー８０のメモリのデータ９８を読む取り、書き込みおよび／または実行することができる。冷蔵庫２００および／または冷凍庫２０４のコントローラー８０のメモリ９０のデータ９８は、この明細書の他の部分においてより詳細に記載されるように、冷却コントロールアプリケーション１１８により読ま取られ、書き込まれ、および／または実行された様々な記録を含んでもよい。
【００３６】
本発明の様々な実施例は、方法、装置（システム）およびコンピュータ・プログラムプロダクトのスクリーンビューに関して下記に述べられる。各スクリーンビューは、コンピュータープログラム命令によってインプレメントされサポートされ得ることを理解されるであろう。これらのコンピュータープログラム命令は、限定されるものではないが、機械を製造するために、製氷機１０、冷蔵庫２００、および／または冷凍庫２０４のポータブル電子デバイス１００およびコントローラー８０を含む、汎用コンピュータ、専用コンピュータ、あるいは他のプログラマブルデータ・プロセシング装置のプロセッサ（例えば、プロセッサ１０４、プロセッサ８２）に提供されて、コンピューターあるいは他のプログラマブルデータ・プロセシング装置のプロセッサを介して実行する命令が、フローチャートおよび／またはブロックダイヤグラム・ブロックまたは複数のブロックにおいて特定された機能／作用を実施するための手段を作成する。
【００３７】
これらのコンピュータプログラム命令は、コンピュータ可読媒体（例えば、メモリ１１０、メモリ９０）に格納されてもよく、コンピュータ可読媒体は、特別の方法において機能するように、限定されるものではないが、製氷機１０、冷蔵庫２００、および／または冷凍庫２０４のポータブル電子デバイス１００およびコントローラー８０を含んでいるコンピューターまたは他のプログラマブルデータ・プロセシング装置を指図することができ、コンピュータ可読媒体に格納された命令が、フローチャート、および／またはブロックダイヤグラム・ブロックまたは複数のブロックにおいて特定された機能／作用を実施する命令手段を含んでいる製品を生産する。
【００３８】
また、コンピュータプログラム命令は、限定されるものではないが、製氷機１０、冷蔵庫２００および／または冷凍庫２０４のポータブル電子デバイス１００およびコントローラー８０を含むコンピューターまたは他のプログラマブルデータ・プロセシング装置にロードされ、コンピューター実行プロセスを生産するために、コンピューターまたは他のプログラマブルデータ・プロセシング装置で実施される一連のオペレーショナルステップをもたらして、コンピュータまたは他のプログラマブルデータ・プロセシング装置で実行する命令がフローチャートおよび／またはブロックダイヤグラム・ブロックあるいは複数のブロックにおいて特定された機能／行為をインプリメントするためのプロセスを提供している。
【００３９】
本発明の実施例は、多数の汎用または専用コンピューティングシステム環境、あるいは構成で動作可能である。本発明の使用として適している周知のコンピューティングシステム、環境および／または構成の例としては、限定されるものではないが、パソコン、サーバーコンピュータ、クラウド・コンピューティング、ハンドヘルド型あるいはラップトップ型デバイス、ポータブル電子デバイス、マルチプロセッサーシステム、マイクロプロセッサー、マイクロコントローラあるいはマイクロコンピュータベースシステム、セット・トップ・ボックス、プログラム可能な家電、ＡＳＩＣあるいはＦＰＧＡコア、ＤＳＰコア、ネットワークＰＣ、ミニコンピュータ、メインフレーム・コンピューター、上記のシステムあるいはデバイスのうちのいずれかを含んでいる分散コンピューティング環境などを含んでいる。
【００４０】
ここで図４−４Ｇを参照して、ポータブル電子デバイス１００が冷却装置１０００と相互連絡する、および／またはコントロールする方法を詳細に記述する。冷却装置１０００は、製氷機１０、冷蔵庫２００および／または冷凍庫２０４でもよい。ステップ７００では、ポータブル電子デバイス１００と冷却装置１０００との間で無線通信接続を確立することができるように、ポータブル電子デバイス１００は冷却装置１０００の近くに配置される。特定の実施例においては、ポータブル電子デバイス１００が冷却装置１０００の約５０メートル以内にある。特定の実施例においては、例えば、ポータブル電子デバイス１００は約５０メートル以下に冷却装置１０００から離して配置される。他の実施例においては、例えば、ポータブル電子デバイス１００は、約２５メートル以下に冷却装置１０００から離して配置される。他の実施例においては、例えば、ポータブル電子デバイス１００は約２０メートル以下に冷却装置１０００から離して配置される。また、他の実施例においては、例えば、ポータブル電子デバイス１００は約１５メートル以下に冷却装置１０００から離して配置される。他の実施例においては、例えば、ポータブル電子デバイス１００は約１０メートル以下に冷却装置１０００から離して配置される。また、他の実施例においては、例えば、ポータブル電子デバイス１００は約５メートル以下に冷却装置１０００から離して配置される。他の実施例においては、例えば、ポータブル電子デバイス１００は約３メートル以下に冷却装置１０００から離して配置される。他の実施例においては、例えば、ポータブル電子デバイス１００は約１メートル以下に冷却装置１０００から離して配置される。特定の実施例においては、無線通信接続は、限定されるものではないが、Ｂｌｕｅｔｏｏｔｈ（登録商標）接続、光接続、赤外線接続、ＷＬＡＮ接続、ＷＡＮ接続、Ｗｉ−Ｆｉ接続、近距離無線コミュニケーション（ＮＦＣ）接続、あるいは他の適切な他の無線通信プロトコルである。他の実施例においては、ポータブル電子デバイス１００と冷却装置１０００との間の通信接続は、限定されるものではないが、ＵＳＢ接続、シリアル接続、あるいは当分野における既知の他の有線接続を含む。
【００４１】
特定の実施例において、ポータブル電子デバイス１００がポータブル電子デバイス１００と接続される冷却装置１０００の集団に接近している場合、冷却装置１０００の集団の１つ以上がどれを接続するかが選択されてもよい。ポータブル電子デバイス１００は、冷却装置１０００の集団のうちの１つと相互連絡した後に、冷却装置１０００の集団の１つ以上の残りの冷却装置１０００と相互連絡することが必要とされる場合、ポータブル電子デバイス１００と１つ以上の残りの冷却装置１０００との間を接続することができる。他の実施例において、ポータブル電子デバイス１００がポータブル電子デバイス１００と接続される冷却装置１０００の集団に接近している場合、ポータブル電子デバイス１００は冷却装置１０００の集団との接続を確立してもよい。従って、ポータブル電子デバイス１００は、同時に冷却装置１０００の全体の集団と相互連絡し、および／または制御することができる。例えば、ポータブル電子デバイス１００は、食料雑貨店通路の全ての冷凍庫２０４と同時に接続することができ、全ての冷凍庫２０４と相互連絡して制御することができる。したがって、例えば、全ての冷凍庫のための全ての動作パラメータは直ちに設定することができる。これは、冷却装置の集団の各々に別々に接続されるより、迅速な方法で冷却装置１０００の集団のための動作パラメーターを設定し、および／または変更することを助けることができる。
【００４２】
ステップ７０４では、冷却装置コントロールアプリケーション１１８がポータブル電子デバイス１００上で開始される。特定の実施例においては、冷却装置コントロールアプリケーション１１８は、ポータブル電子デバイス１００のユーザーによって開始される。他の実施例においては、冷却装置コントロールアプリケーション１１８は、ポータブル電子デバイス１００によって開始される。特定の実施例においては、冷却装置コントロールアプリケーション１１８は、ステップ７００に先立って開始される。特定の実施例においては、冷却装置コントロールアプリケーション１１８は、ステップ７０２に先立って開始される。他の実施例においては、一旦ポータブル電子デバイス１００と冷却装置１０００との間の無線通信接続が確立されれば、冷却装置コントロールアプリケーション１１８は自動的に開始される。
【００４３】
ステップ７０６では、冷却装置１０００が識別される。特定の実施例においては、この識別は、限定されるものではないが、シリアル番号、モデル番号、および／またはポータブル電子デバイス１００への名前情報を含む識別情報を送信する冷却装置１０００によって行われる。他の実施例においては、冷却装置１０００の識別は、限定されるものではないが、受信識別情報を含む様々な方法における冷却装置コントロールアプリケーション１１８によって行われる。また、受信識別情報は、限定されるものではないが、シリアル番号、モデル番号、および／または冷却装置１０００からの情報、ＮＦＣのタグが冷却装置１０００の識別情報を含んでいる冷却装置１０００に配置されたＮＦＣタグを走査すること、ポータブル電子デバイス１００がカメラを含んでいるポータブル電子デバイス１００を備えた冷却装置の写真を撮ること、バーコードあるいはデータの他の何らかの機械可読表示を走査すること、二次元のバーコード（例えば、クイックレスポンス（ＱＲ）コード）あるいはデータの他の何らかの機械可読表示を走査すること、および／またはユーザーの手動入力識別情報を含む。
【００４４】
他の実施例において、パスワードは、冷却装置１０００との無線通信接続を確立するために、冷却装置コントロールアプリケーション１１８に入力されるように要求される。パスワードを要求する特定の実施例においては、パスワードの使用は、冷却装置１０００のコントローラー８０への無許可のアクセスを防ぐことを助ける。様々な実施例においては、例えば、パスワードは冷却装置１０００のシリアル番号である。例えば、シリアル番号は冷却装置１０００の内部にあり、冷却装置１０００の一部あるいは全てを開くことができる人だけに見ることができる。他の実施例においては、パスワードは冷却装置１０００の持ち主、サービスの人、製造者などによって作成された英数字のパスワードでもよい。他の実施例においては、パスワードは、正確なキーを有するポータブル電子デバイスだけが冷却装置１０００に接続することができるように、冷却装置１０００によって認識されたポータブル電子デバイス１００に格納された、または配置されたデータまたは物理的キーを含んでいる。他の形式のパスワードおよび／または当分野において既知の冷却装置１０００に接続することを試みるポータブル電子デバイス１００を確証する手段が、本発明の範囲から逸脱しない範囲で使用されることは理解されるであろう。
【００４５】
ステップ７０８では、ポータブル電子デバイス１００は、ポータブル電子デバイス１００のユーザ・インターフェース１０８上に冷却装置１０００に対応する情報を表示する。表示された情報は、限定されるものではないが、冷却装置１０００の識別情報を含んでいる。図４Ａ−４Ｇにおいて示された図４の方法のオプションのステップに関して記述されているように、様々な他の情報はポータブル電子デバイス１００のユーザ・インターフェース１０８上に提供されるか、表示される。
【００４６】
図４Ａで示されているように、図４の方法は、以下のステップを選択的に含む：製氷機１０の製氷サイクル７１０を開始すること、冷却装置１０００の名前７１１を設定しおよび／または変更すること、クリーニングサイクル７１２を開始すること、パージ量７１３を設定しおよび／または変更すること、ハーベストサイクル７１４を開始すること、氷生産限度時刻７１５を設定しおよび／または変更すること、氷の厚み７１６を設定しおよび／または変更すること、最大氷生産限度７１５を設定しおよび／または変更すること、霜取サイクル７１８を開始すること、冷蔵庫２００および／または冷凍庫２０４のコンパートメント２０６の中の温度（Ｔ）を設定しおよび／または変更すること。この明細書の他の部分においてより詳細に記載されているように、各々のステップ７１０−７２０は、冷却装置１０００に接続されたポータブル電子デバイス１００で行われる。
【００４７】
ここで図４Ｂを参照すると、図４の方法はポータブル電子デバイス１００のユーザ・インターフェース１０８上に、以下の１つ以上を表示するか、提供することを選択的に含む：インストール・チェックリスト７２２、クイッククリーン・チェックリスト７２４、全部のクリーン・チェックリスト７２６、全部の消毒チェックリスト７２８、外表面クリーン・チェックリスト７３０、マニュアル・クリーニング・コントロール７３２、および拡張シャットダウン・チェックリスト７３４。この明細書の他の部分においてより詳細に記載されているように、各々のステップ７２２−７３４は、冷却装置１０００に接続されたポータブル電子デバイス１００で行われる。
【００４８】
図４Ｃに示されているように、図４の方法は、この明細書の他の部分においてより詳細に記載されているように、冷却装置１０００に接続されたポータブル電子デバイス１００で、リマインダ７３６をセット・アップすること、および／またはリマインダ７３８を受け取る受信者を選択することを選択的に含んでいる。
【００４９】
ここで図４Ｄを参照すると、図４の方法は、ポータブル電子デバイス１００のユーザ・インターフェース１０８に以下の１つ以上を表示するか、提供することを選択的に含む：エイジェンシー承認書７４０、パーツマニュアル７４２、サービスマニュアル７４４、ユーザ用マニュアル７４６、性能および仕様書７４８、および保証規定書７５０。この明細書の他の部分においてより詳細に記載されているように、各々のステップ７４０−７５０は冷却装置１０００に接続されたポータブル電子デバイス１００で行われる。
【００５０】
図４Ｅに示されているように、図４の方法は、ポータブル電子デバイス１００のユーザ・インターフェース１０８に、保証範囲７５２のステータスおよび／または継続期間および／またはメーカー７５４の保証規定の１つ以上を表示するか提供することを選択的に含んでいる。特定の実施例においては、冷却装置１０００のための保証の登録は、ステップ７５６でポータブル電子デバイス１００で行うことができる。この明細書の他の部分においてより詳細に記載されているように、各々のステップ７５２−７５６は冷却装置１０００に接続されたポータブル電子デバイス１００で行われる。
【００５１】
ここで図４Ｆを参照すると、図４の方法は、選択的に下記の１つ以上のステップを含む：ステップ７５８で冷却装置１０００のメーカー、ディーラー、サービスする者などの１つ以上と連絡をとること、ステップ７６０で冷却装置１０００のコントローラー８０をオーバーライドすること、ステップ７６２で診断ルーチンを行うこと、ステップ７６４で冷却装置１０００の現在の動作情報を表示すること、ステップ７６６で冷却装置１０００の履歴ログを表示すること、そしてステップ７７４で冷却装置１０００のファームウェアを表示しおよび／または更新すること、のステップを含む。履歴ログの表示は、ステップ７６８で冷却装置１０００のサービス履歴を表示すること、ステップ７７０で冷却装置の性能履歴および／または動作情報を表示すること、および／またはステップ７７２で冷却装置１０００のイベント・ログを表示すること、の任意のステップを更に含んでもよい。この明細書の他の部分においてより完全に記載されるように、各々のステップ７５８−７７４は冷却装置１０００に接続されたポータブル電子デバイス１００で行われる。
【００５２】
図４Ｇにおいて示されているように、図４の方法は、ポータブル電子デバイス１００のユーザ・インターフェース１０８に、以下の１つ以上を表示するか提供することを選択的に含む：ステップ７７６で冷却コントロール・アプリケーション１１８の使い方のチュートリアル、およびステップ７７８で一般的な質問。この明細書の他の部分においてより完全に記載されるように、各々のステップ７７６−７７８は冷却装置１０００に接続されたポータブル電子デバイス１００で行われる。
【００５３】
様々なステップは１つの順番でここでは説明するが、本発明の範囲から逸脱することなく、上記方法の他の実施例は、任意の順番で実行でき、および／または上記ステップの全てが実行されないことがあることを理解されるであろう。
【００５４】
図５−４３に描かれたものは、本発明の一実施例による冷却装置１０００と相互連絡するおよび／またはコントロールする１つ以上の方法の実行において使用するためのポータブル電子デバイス１００のユーザ・インターフェース１０８に表示された冷却装置コントロール・アプリケーション１１８のユーザ・インターフェースの例である。特にこの実施例においては、冷却装置１０００は製氷機１０であるが、冷却装置コントロール・アプリケーション１１８は、本発明の範囲から逸脱しない範囲で同様の方法における冷蔵庫２００および／または冷凍庫２０４と相互連絡して、および／またはコントロールすることは理解されるであろう。「アプリケーション」への言及は、ポータブル電子デバイス１００における冷却装置コントロール・アプリケーション１１８を意味しており、用語「スクリーン」は、ポータブル電子デバイス１００上で動作する冷却装置コントロール・アプリケーション１１８によってポータブル電子デバイス１００のユーザ・インターフェース１０８に表示された情報に言及する。
【００５５】
次の図は、様々なスクリーンに表示される様々なユーザ・インターフェース・エレメントを示す。ユーザ・インターフェース要素のうちのいくつかあるいは全ては、限定されるものではないが、ボタン、テキストボックスおよび／またはここに記載された他の入力を含んでおり、ユーザーによって操作されたときに機能してもよい；しかしながら、ボタン、テキストボックスおよび／またはここに記載された他の入力によって実行される機能は、特定の時間および特定の実施例で、ユーザーにより操作されることなくポータブル電子デバイス１００のプロセッサ１０４により実行されてもよい。ボタン、テキストボックスおよび／またはここに記載された他の入力のユーザーの操作は、限定されるものではないが、ボタンを押す、スライダを移動させる、ボタンを強打するかスライドする、ラジオ・ボタンをチェックする、テキストをタイプする、番号を選択するなどを含む。しかしながら、多くの変更、多様化、改良化およびユーザ・インターフェース要素の他の使用およびアプリケーションが可能であることは当分野で精通している人々とっては明白であろう。本発明の趣旨および範囲から逸脱しない変更、多様化、改良化、および他の使用およびアプリケーションはすべて、本発明によってカバーされる。
【００５６】
図５を参照すると、ポータブル電子デバイス１００の冷却装置コントロール・アプリケーション１１８を開始すると、フロントパネル・スクリーン３００はポータブル電子デバイス１００のユーザ・インターフェース１０８に提供される。フロントパネル・スクリーン３００は製氷機１０上の物理的コントロールパネルの表現であってもよい。フロントパネル・スクリーン３００は、製氷機１０を操作するボタンの集団を含んでいてもよい。特定の実施例においては、フロントパネル・スクリーン３００はディスプレイ３０２、パワー・ボタン３０４、クリーン・ボタン３０６、ハーベスト・ボタン３０８、厚みボタン３１０およびメニュー・ボタン３１２を含んでいてもよい。特定の実施例においては、ディスプレイ３０２は３つのディジット、７つのエレメント・ディスプレイをエミュレートしてもよい。ディスプレイ３０２はユーザーにフィードバックを提供してもよい。
【００５７】
様々な実施例においては、パワー・ボタン３０４を操作することは、製氷機をオンおよびオフに切り替えることができる。パワー・ボタン３０４を操作することは、前記のように製氷機１０により製氷を開始するように、製氷機１０のコントローラー８０に信号を送信するようにしてもよい。クリーン・ボタン３０６を操作することは、クリーンおよび消毒プロセスを開始するように、製氷機１０のコントローラー８０に信号を送信するようにして、安全で効率的な動作条件に維持するように、製氷機１０から、ミネラル、メタル、バイオロジクスおよび／または他の汚染物質を除去してもよい。ハーベスト・ボタン３０８を操作することは、ハーベストサイクルを開始するホット・ガス・バルブ２４を開くように、製氷機１０のコントローラー８０に信号を送信するするようにしてもよい。厚みボタン３１２を操作することは、製氷機１０によって作られた氷の厚みを設定し、および／または変更するように、追加のスクリーンおよび機能へのアクセスを提供することができる。メニュー・ボタン３１２を操作することは、製氷機１０を制御するために、追加のスクリーンおよび機能へのアクセスを提供することができる。
【００５８】
図６は、メニュー・ボタン３１２が操作された後にアクセスされるメニュー・スクリーン３１４の実施例を描いている。メニュー・スクリーン３１４はポータブル電子デバイス１００のユーザ・インターフェース１０８上に提供される。メニュー・スクリーン３１４は、限定されるものではないが、フロントパネル・ボタン３１６、チェックリスト・ボタン３２２、リマインダ・ボタン３２４、ドキュメント・ボタン３２６、保証ボタン３２８、氷設定ボタン３３０、サービス・ボタン３３２、およびヘルプ・ボタン３３４に戻すボタンの集団を含んでいる。フロントパネル・ボタン３１６の操作は、フロントパネル・スクリーン３００にアプリケーション１１８を戻す。チェックリスト・ボタン３２２、リマインダ・ボタン３２４、ドキュメント・ボタン３２６、保証ボタン３２８、氷設定ボタン３３０、サービス・ボタン３３２、およびヘルプ・ボタン３３４の操作は、この明細書の他の部分においてより詳細に記載されているように、製氷機１０との相互連絡、および／またはコントロールを許可するアプリケーション１１８のメニューおよびサブメニューに入る。
【００５９】
チェックリスト・ボタン３２２に対応するアプリケーション１１８のメニューおよびサブメニューは、図７−１４を参照して詳細に記述される。リマインダ・ボタン３２４に対応するアプリケーション１１８のメニューおよびサブメニューは、図１５−１７を参照して詳細に記述される。ドキュメント・ボタン３２６に対応するアプリケーション１１８のメニューおよびサブメニューは、図１８−２０を参照して詳細に記述される。保証ボタン３２８に対応するアプリケーション１１８のメニューおよびサブメニューは、図２１−２２を参照して詳細に記述される。氷設定ボタン３３０に対応するアプリケーション１１８のメニューおよびサブメニューは、図２３−２９を参照して詳細に記述される。サービス・ボタン３３２に対応するアプリケーション１１８のメニューおよびサブメニューは、図３０−４２を参照して詳細に記述される。ヘルプ・ボタン３３４に対応するアプリケーション１１８のメニューおよびサブメニューは、図４３を参照して詳細に記述される。
【００６０】
ここで図７を参照すると、チェックリスト・ボタン３２２を操作することは、チェックリスト・スクリーン３３６をポータブル電子デバイス１００のユーザ・インターフェース１０８上に提供することができる。チェックリスト・スクリーン３３６は、限定されるものではないが、インスタレーション・チェックリスト・ボタン３４０、クイッククリーン・ボタン３４２、フルクリーン・ボタン３４４、フル消毒ボタン３４６、外表面クリーン・ボタン３４８、拡張シャットダウン・ボタン３５０、クリーニングコントロール・ボタン３５２を含むボタンの集団を含んでいてもよい。また、チェックリスト・スクリーン３３６は、図６に示されているメニュー・スクリーン３１４にアプリケーション１１８を戻すように、メニュー・スクリーン・ボタン３３８を含んでいてもよい。
【００６１】
図８Ａ、８Ｂおよび８Ｃに示されているようなポータブル電子デバイス１００のユーザ・インターフェース１０８上に提供されるように、インスタレーション・チェックリスト・ボタン３４０を操作することにより、インスタレーション・スクリーン３５４をもたらすことができる。インスタレーション・スクリーン３５４はスクロールすることができるスクリーンであり、また、全体のスクリーンを表示するように、異なるスクロールされた位置での多数のビューが図８Ａ、８Ｂおよび８Ｃに示されている。インスタレーション・スクリーン３５４は、製氷機１０をインストールするためのステップのリストを表示してもよい。インスタレーション・スクリーン３５４は、さらに、操作される時、図７に示されているチェックリスト・スクリーン３３６にアプリケーション１１８を戻すチェックリスト・スクリーン・ボタン３５６を含んでもよい。ラジオ・ボタン３５８の集団は、製氷機１０のインスタレーション（インストール）の進行を追跡許可する個々のステップに対応する。従って、特定の実施例においては、ラジオ・ボタン３５８の集団は、インスタレーションの一ステップが終了したことを示すために、操作され、または「チェック」される。特定の実施例においては、インスタレーション・スクリーン３５４が図８Ａ、８Ｂおよび８Ｃにおいて描かれているステップのうちのいくつかあるいは全てを含むことができ、および／または本発明の範囲を逸脱しない範囲で描かれていない追加のステップを含んでいることは、理解されるであろう。
【００６２】
また、インスタレーション・スクリーン３５４は、アクション・ボタンの集団を含んでおり、アクション・ボタンが操作された時、特定のステップが終了し、および／または機能を開始するよう製氷機１０のコントローラー８０へ信号を送信するアプリケーション１１８をもたらすことを許可する。従って、インスタレーション・スクリーン３５４上のアクション・ボタンの集団は、限定されるものではないが、マシン命名ボタン３６２、完了保証登録ボタン３６４、設定リマインダ・ボタン３６６、設定パージ量ボタン３６８、設定氷厚みボタン３７０、設定生産時刻ボタン３７２、設定生産限度ボタン３７４、および／またはインスタレーション完了ボタン３７８を含んでいてもよい。また、インスタレーション・スクリーン３５４は、マシン命名ボタン３６２を操作し、そして製氷機１０の所望の名前のテキストを入力することができる製氷機３６０ａを指定する一ステップを含んでいてもよい。マシンあるいは製氷機１０の名前を設定することは、図２４に関してより詳細に記載されている。従って、マシン命名ボタン３６２を操作することは、アプリケーション１１８がマシン名スクリーン４９４にジャンプすることをもたらす（図２４参照）。マシンを指定した後、製氷機１０のインストールが継続するように、アプリケーション１１８がインスタレーション・スクリーン３５４に戻る。さらに、インスタレーション・スクリーン３５４は保証登録ステップ３６０ｂを含んでいる。
【００６３】
保証登録の完了が必要な場合、完了保証登録ボタン３６４が操作され、アプリケーション１１８はサブメニューに入る。ここにおいて、製氷機１０は、保証登録情報を格納するために、ウェブサイト、サーバー、ポータブル電子デバイス１００、および／または任意の適切な場所に登録される。したがって、特定の実施例においては、保証登録情報は、限定されるものではないが、オーナー情報、製氷機１０のシリアル番号、製氷機１０のモデル番号、製氷機１０の位置、および／または製氷機１０のインストールの時間を含んでもよい。オーナー情報は、限定されるものではないが、製氷機１０の持ち主の名前、製氷機１０の持ち主の電話番号、製氷機１０の持ち主の電子メール・アドレス、および／または製氷機１０の持ち主の住所を含んでもよい。従って、保証登録情報は、アプリケーション１１８に入力され、そして、アプリケーション１１８は、製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／または製氷機１０の保証登録情報の記録の格納に適切な任意の場所に、保証情報を書き込みし、保存し、および／またはアップロードすることができる。特定の実施例においては、この明細書の他の部分においてより詳細に記載されているように、この記録は、サービス記録の集団のうちの１つかもしれない。
【００６４】
さらに、設定リマインダ・ボタン３６６は、設定リマインダ・ステップ３６０ｃに従って操作される。図１５−１７により詳細に述べられているように、様々なリマインダが設定される。従って、設定リマインダ・ボタン３６６を操作することは、アプリケーション１１８をリマインダ・スクリーン４２４、セット・アップ・リマインダ・スクリーン４３０、および／またはレシピエント・スクリーン４４４０（図１５−１７を参照）にジャンプさせる。リマインダを設定した後、製氷機１０のインストールが継続するように、アプリケーション１１８はインスタレーション・スクリーン３５４に戻ってもよい。
【００６５】
特定の実施例においては、様々なセッティング操作は、インスタレーション・スクリーン３５４上で設定され、および／または変更される。セッティング操作は、限定されるものではないが、パージ量、氷厚み、生産時刻、最大の氷生産限度などを含む。各冷却サイクルでパージされる水の量は、設定されたパージ量ステップ３６０ｄに従って設定パージ量ボタン３６８を操作することにより追加的に設定される。パージ量の設定は、図２６により詳細に述べられている。従って、設定パージ量ボタン３６８を操作することにより、アプリケーション１１８がパージ量スクリーン５０６にジャンプする（図２６参照）。パージ量を設定した後、製氷機１０のインストールが継続するように、アプリケーション１１８がインスタレーション・スクリーン３５４に戻ってもよい。製氷機１０によって生産された氷の厚みは、設定された氷厚みステップ３６０ｅに従って設定氷厚みボタン３７０を操作することにより追加的に設定される。氷の厚みの設定については、図２５に関してより詳細に述べられている。従って、設定氷厚みボタン３７０を操作することは、アプリケーション１１８を氷厚みスクリーン５００（図２５を参照）にジャンプさせる。氷厚みを設定した後、製氷機１０のインストールが継続するように、アプリケーション１１８はインスタレーション・スクリーン３５４に戻ってもよい。
【００６６】
追加的にさらに様々な他の操作の設定は、ステップ３６０ｆ、３６０ｇに従って設定されてもよい。製氷機１０が生産する時刻は、製造時刻ステップ３６０ｐに従った設定生産時刻ボタン３７２を操作することにより追加的に設定される。生産時間の設定は、図２８により詳細に述べられている。従って、設定生産時刻ボタン３７２を操作することは、アプリケーション１１８を、氷生産時間スクリーン５１８にジャンプさせる（図２８参照）。氷が生産されるべき時刻を設定した後、製氷機１０のインストールが継続するように、アプリケーション１１８がインスタレーション・スクリーン３５４に戻る。製氷機１０が１日以上の間に生産するために必要な氷の量は、設定生産限度ステップ３６０ｑに従った設定生産限度ボタン３７４を操作することにより、追加的に設定される。製氷機１０によって生産されるべき氷の量を設定することは、図２９により詳細に述べられている。従って、設定生産限度ボタン３７４を操作することは、アプリケーション１１８を生産限度スクリーン５２４（図２９参照）にジャンプさせる。生産されるべき氷の量が設定された後、製氷機１０のインストールが継続するように、アプリケーション１１８はインスタレーション・スクリーン３５４に戻ってもよい。
【００６７】
様々な実施例においては、製氷機１０の場所は、ポータブル電子デバイス１００を使用して、任意に設定されてもよい。特定の実施例においては、ポータブル電子デバイス１００は、ポータブル電子デバイス１００が当分野において既知の位置を計算することを可能にする全地球測位システム（ＧＰＳ）チップを含んでいてもよい。従って、ポータブル電子デバイスは、製氷機１０の近くに、あるいはその製氷機上に置かれてもよく、ポータブル電子デバイス１００の現在位置が製氷機１０の場所として設定されてもよい。アプリケーション１１８は、この位置の記録を、製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／または製氷機１０の位置の記録の格納に適切な場所に、書き込みし、保存し、および／またはアップロードする。従って、この記録は、製氷機１０の位置を決定するために、後でアクセスし、および／または見ることができる。シリアル番号のクエリーは、そのシリアル番号を有する製氷機１０の位置を戻すように、この位置が製氷機１０のシリアル番号に関連付けられてもよい。特定の実施例においては、この記録が、この明細書の別のところでより詳細に記載されているように、サービス記録の集団のうちの１つであってもよい。
【００６８】
更に、インストーラーの名前は、あなたの名前入力ステップ３６０ｈ従ったテキストボックス３７６に入力されてもよい。インスタレーション完了ボタン３７８を操作することによって、製氷機１０のインストールは完了する。従って、インスタレーション完了ボタン３７８を操作することは、アプリケーション１１８がインストールの記録を、製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／またはインストールの記録の格納に適切な任意の場所に、書き込みし、保存し、および／またはアップロードする。従って、この記録としては、インストールの様々な態様を決定するために、後でアクセスし、および／または見ることができるものであり、限定されるものではないが、製氷機をインストールした者、インストールが完了した時刻、動作パラメーター、製氷機１０の名前などを含む。特定の実施例においては、この記録は、この明細書において別のところでより詳細に記載されているようにサービス記録の集団のうちの１つかもしれない。製氷機１０のインストールが完了した後、製氷機１０のコントローラー８０は、製氷機１０に接近した、および／または接続されたポータブル電子デバイスを要求することなく、インストール中の様々な動作パラメーターの入力に従って製氷機１０を制御することができる。従って、コントローラー８０は独立して製氷機１０を制御することができる。
【００６９】
ここで図７に戻ると、クイッククリーン・ボタン３４２を操作することにより、クイッククリーン・スクリーン３８０が図９に示すようにポータブル電子デバイス１００のユーザ・インターフェース１０８上に提供される。クイッククリーン・スクリーン３８０は、製氷機１０の迅速にクリーンにするためのステップのリストを表示する。また、クイッククリーン・スクリーン３８０は、チェックリスト・スクリーン・ボタン３５６を含んでおり、操作された時、図７に示されているようにチェックリスト・スクリーン３５４にアプリケーション１１８が戻される。ラジオ・ボタン３５８の集団は、製氷機１０を迅速にクリーンにする進行を追跡許可する個々のステップに対応することを表示する。従って、特定の実施例においては、ラジオ・ボタン３５８の集団は、迅速にクリーンにする１ステップが完了したことを示すように、操作され、即ち「チェック」される。特定の実施例においては、クイッククリーン・スクリーン３８０が図９において描かれているステップのうちのいくつかあるいは全てを含むかもしれないし、および／または本発明の範囲を逸脱することなく、描かれていない追加のステップを含んでもよいことは理解されるであろう。
【００７０】
また、クイッククリーン・スクリーン３８０は、アクションボタンの集団を含んでおり、アクションボタンが操作された時、特定のステップを終了させ、および／またはアプリケーション１１８が機能を開始するように製氷機１０のコントローラー８０に信号を送信することを可能にする。従って、クイッククリーン・スクリーン３８０上のアクション・ボタンの集団は、限定されるものではないが、クリーン・ボタン３８４、および／またはクイッククリーン完了ボタン３８６を含む。ステップ３８２ａでは、製氷機１０から、ミネラル、メタル、バイオロジクスおよび／または他の汚染物質を除去するクリーンおよび消毒プロセスを開始するために、製氷機１０のコントローラー８０に信号を送信させるクリーン・ボタン３８４が操作される。ステップ３８２ｂでは、クイッククリーン（迅速にクリーニング）する人は、テキストボックス３７６に彼らの名前を入力してもよい。クイッククリーン完了ボタン３８６の操作によって、製氷機１０を迅速にクリーンにすることが完了する。
【００７１】
従って、クイッククリーン完了ボタン３８６を操作することは、アプリケーション１１８が、クイッククリーンの記録を製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／またはクイッククリーンの記録の格納に適切な任意の場所に、書き込みし、保存しおよび／またはアップロードすることである。従って、この記録は、クイッククリーンの様々な態様を決定するために、後でアクセスし、および／または見ることができ、限定されるものではないが、クイッククリーンを行う人、クイッククリーンが完了した時刻などを含む。特定の実施例においては、この記録は、この明細書において別のところでより詳細に記載されているようにサービス記録の集団のうちの１つかもしれない。製氷機１０のクイッククリーンが完了した後、製氷機１０のコントローラー８０は、製氷機１０に接近した、および／または接続されたポータブル電子デバイスを要求することなく、インストール中の様々な動作パラメーターの入力に従って製氷機１０を制御することができる。従って、コントローラー８０は独立して製氷機１０を制御することができる。
【００７２】
ここで図７に戻ると、フルクリーン・ボタン３４４を操作することは、図１０Ａ、１０Ｂおよび１０Ｃに示されているように、フルクリーン・スクリーン３８８がポータブル電子デバイス１００のユーザ・インターフェース１０８上に提供される。フルクリーン・スクリーン３８８はスクロールすることができるスクリーンであり、全スクリーンを表示するように、スクロールされた異なる位置で多数のビューが図１０Ａ、１０Ｂおよび１０Ｃに示されている。図１０Ａ、１０Ｂおよび１０Ｃに描かれているように、フルクリーン・スクリーン３８８の実施例は、製氷機１０のフルクリーンを導くためのステップの集団を表示する。また、フルクリーン・スクリーン３８８は、操作された時、図７に示されているように、チェックリスト・スクリーン３５４にアプリケーション１１８を戻すチェックリスト・スクリーン・ボタン３５６に戻すことを含んでいる。ラジオ・ボタン３５８の集団は、製氷機１０のフルクリーンの進行を追跡許可する個々のステップに対応することを表示する。従って、特定の実施例においては、ラジオ・ボタン３５８の集団は、フルクリーンの１ステップが完了したことを示すように、操作され、即ち「チェック」される。特定の実施例においては、フルクリーン・スクリーン３８８が図１０Ａ、１０Ｂおよび１０Ｃに描かれたステップのうちのいくつかあるいは全てを含むかもしれないし、および／または本発明の範囲を逸脱することなく、描かれていない追加のステップを含んでもよいことは理解されるであろう。
【００７３】
また、フルクリーン・スクリーン３８８は、アクション・ボタンの集団を含んでおり、アクション・ボタンが操作された時、特定のステップを完了させ、および／またはアプリケーション１１８が機能を開始するように製氷機１０のコントローラー８０へ信号を送信することを可能にする。従って、フルクリーン・スクリーン３８８上のアクション・ボタンの集団は、限定されるものではないが、クリーン・ボタン３８４、削除部分表示ボタン３９２、製氷ボタン３９４、および／またはフルクリーン完了ボタン３９６を含む。ステップ３９０ａでは、クリーン・ボタン３８４が操作されて、製氷機１０から、ミネラル、メタル、バイオロジクスおよび／または他の汚染物質を除去するクリーンおよび消毒プロセスを開始するために、製氷機１０のコントローラー８０に信号を送信させる。ステップ３９０ｂでは、削除部分表示ボタン３９２が操作されて、フルクリーンを実行するために除去する必要のある製氷機１０の部分がユーザ・インターフェース１０８に表示される。ステップ３９０ｃでは、製氷ボタン３９４が操作されて、氷を作るために製氷機１０のコントローラー８０に信号を送信することができる。ステップ３９０ｄでは、フルクリーンを行う人が、テキストボックス３７６に彼らの名前を入力してもよい。フルクリーン完了ボタン３９６の操作によって、製氷機１０のフルクリーンが完了する。
【００７４】
従って、フルクリーン完了ボタン３９６を操作することは、アプリケーション１１８が、フルクリーンの記録を製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／またはフルクリーンの記録の格納に適切な任意の場所に、書き込みし、保存しおよび／またはアップロードすることである。従って、この記録は、フルクリーンの様々な態様を決定するために、後でアクセスし、および／または見ることができ、限定されるものではないが、フルクリーンを行う人、フルクリーンが完了した時刻などが含まれる。特定の実施例においては、この記録は、この明細書において別のところでより詳細に記載されているようにサービス記録の集団のうちの１つかもしれない。製氷機１０のフルクリーンが完了した後、製氷機１０のコントローラー８０は、製氷機１０に接近した、および／または接続されたポータブル電子デバイスを要求することなく、インストール中の様々なパラメーターの入力に従って製氷機１０を制御することができる。従って、コントローラー８０は独立して製氷機１０を制御することができる。
【００７５】
ここに図７に戻ると、フル消毒ボタン３４６操作することは、図１１に示されているように、フル消毒スクリーン３９８がポータブル電子デバイス１００のユーザ・インターフェース１０８上に提供される。図１１に描かれているように、フル消毒スクリーン３９８の実施例は、製氷機１０のフル消毒を導くためのステップの集団を表示する。また、フル消毒スクリーン３９８は、操作された時、図７に示されているように、チェックリスト・スクリーン３５４にアプリケーション１１８を戻すチェックリスト・スクリーン・ボタン３５６を含んでいる。ラジオ・ボタン（図示せず）の集団は、製氷機１０のフル消毒の進行を追跡許可する個々のステップに対応することを表示する。従って、特定の実施例においては、ラジオ・ボタン（図示せず）の集団は、フル消毒の１ステップが完了したことを示すように、操作され、即ち「チェック」される。特定の実施例においては、フル消毒スクリーン３９８が図１１に描かれたステップのうちのいくつかあるいは全てを含むかもしれないし、および／または本発明の範囲を逸脱することなく、描かれていない追加のステップを含んでもよいことは理解されるであろう。
【００７６】
また、フル消毒スクリーン３９８は、アクション・ボタンの集団を含んでおり、アクション・ボタンが操作された時、特定のステップを完了させ、および／またはアプリケーション１１８が機能を開始するように製氷機１０のコントローラー８０へ信号を送信する。従って、フル消毒スクリーン３９８上のアクション・ボタンの集団は、限定されるものではないが、フル消毒完了ボタン４０２を含む。ステップ４００ａでは、フル消毒を行う人が、テキストボックス３７６に彼らの名前を入力してもよい。フル消毒完了ボタン４０２の操作によって、製氷機１０のフル消毒が完了する。
【００７７】
従って、フル消毒完了ボタン４０２を操作することにより、アプリケーション１１８が、フル消毒の記録を製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／またはフル消毒の記録の格納に適切な任意の場所に、書き込みし、保存しおよび／またはアップロードする。従って、この記録は、フル消毒の様々な態様を決定するために、後でアクセスし、および／または見ることができ、限定されるものではないが、フル消毒を行う人、フル消毒が完了した時刻などが含まれる。特定の実施例においては、この記録は、この明細書において別のところでより詳細に記載されているように、サービス記録の集団のうちの１つでもよい。製氷機１０のフル消毒が完了した後、製氷機１０のコントローラー８０は、製氷機１０に接近した、および／または接続されたポータブル電子デバイスを要求することなく、インストール中の様々なパラメーターの入力に従って製氷機１０を制御することができる。従って、コントローラー８０は独立して製氷機１０を制御することができる。
【００７８】
ここに図７に戻ると、外表面クリーン・ボタン３４８を操作することにより、図１２に示されているように、外表面クリーン・スクリーン４０４がポータブル電子デバイス１００のユーザ・インターフェース１０８上で提供される。図１２に描かれているように、外表面クリーン・スクリーン４０４の実施例は、製氷機１０の外表面クリーンを導くためのステップの集団を表示する。また、外表面クリーン・スクリーン４０４は、操作された時、図７に示されているように、チェックリスト・スクリーン３５４にアプリケーション１１８を戻すチェックリスト・スクリーン・ボタン３５６を含んでいる。ラジオ・ボタン３５８の集団は、製氷機１０の外表面クリーンの進行を追跡許可する個々のステップに対応することを表示する。従って、特定の実施例においては、ラジオ・ボタン３５８の集団は、外表面クリーンの１ステップが完了したことを示すように、操作され、即ち「チェック」される。特定の実施例においては、外表面クリーン・スクリーン４０４が図１２に描かれたステップのうちのいくつかあるいは全てを含むかもしれないし、および／または本発明の範囲を逸脱することなく、描かれていない追加のステップを含んでもよいことは理解されるであろう。
【００７９】
また、外表面クリーン・スクリーン４０４は、アクション・ボタンの集団を含んでおり、アクション・ボタンが操作された時、特定のステップを完了させ、および／またはアプリケーション１１８が機能を開始するように製氷機１０のコントローラー８０へ信号を送信する。従って、外表面クリーン・スクリーン４０４上のアクション・ボタンの集団は、限定されるものではないが、外表面クリーン完了ボタン４０８を含む。ステップ４０６ａでは、外表面クリーンを行う人が、テキストボックス３７６に彼らの名前を入力してもよい。外表面クリーン完了ボタン４０８の操作によって、製氷機１０の外表面クリーンが完了する。
【００８０】
従って、外表面クリーン完了ボタン４０８を操作することにより、アプリケーション１１８が、外表面クリーンの記録を製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／または外表面クリーンの記録の格納に適切な任意の場所に、書き込みし、保存しおよび／またはアップロードする。従って、この記録は、外表面クリーンの様々な態様を決定するために、後でアクセスし、および／または見ることができ、限定されるものではないが、外表面クリーンを行う人、外表面クリーンが完了した時刻などを含むものである。特定の実施例においては、この記録は、この明細書において別のところでより詳細に記載されているようにサービス記録の集団のうちの１つでもよい。
【００８１】
ここに図７に戻ると、拡張シャットダウン・ボタン３５０を操作することは、図１３Ａと１３Ｂに示されているように、拡張シャットダウン・スクリーン４１０がポータブル電子デバイス１００のユーザ・インターフェース１０８上で提供される。拡張シャットダウン・スクリーン４１０はスクロールすることができるスクリーンであり、全スクリーンを表示するように、スクロールされた異なる位置で多数のビューが図１３Ａと１３Ｂに示されている。図１３Ａおよび１３Ｂに描かれているように、拡張シャットダウン・スクリーン４１０の実施例は、製氷機１０の拡張シャットダウンを導くためのステップの集団を表示する。また、拡張シャットダウン・スクリーン４１０は、操作された時、図７に示されているように、チェックリスト・スクリーン３５４にアプリケーション１１８を戻すチェックリスト・スクリーン・ボタン３５６を含んでいる。ラジオ・ボタン３５８の集団は、製氷機１０の拡張シャットダウンの手順の進行を追跡許可する個々のステップに対応することを表示する。従って、特定の実施例においては、ラジオ・ボタン３５８の集団は、拡張シャットダウン手順の１ステップが完了したことを示すように、操作され、即ち「チェック」される。特定の実施例においては、拡張シャットダウン・スクリーン４１０が図１３Ａおよび１３Ｂに描かれたステップのうちのいくつかあるいは全てを含むかもしれないし、および／または本発明の範囲を逸脱することなく、描かれていない追加のステップを含んでもよいことは理解されるであろう。
【００８２】
また、拡張シャットダウン・スクリーン４１０は、アクション・ボタンの集団を含んでおり、アクション・ボタンが操作された時、特定のステップを完了させ、および／またはアプリケーション１１８が機能を開始するように製氷機１０のコントローラー８０へ信号を送信することを可能にする。従って、拡張シャットダウン・スクリーン４１０上のアクション・ボタンの集団は、限定されるものではないが、クリーンおよび消毒ボタン４１４、パージウォータ・ボタン４１６、バルブ開放ボタン４１８、マシーン遮断ボタン４２０、および／または拡張シャットダウン完了ボタン４２２を含む。また、ステップ４１２ａでは、クリーンおよび消毒ボタン４１４が操作されて、製氷機１０から、ミネラル、メタル、バイオロジクスおよび／または他の汚染物質を除去するクリーンおよび消毒プロセスを開始するために、製氷機１０のコントローラー８０に信号を送信させる。ステップ４１２ｂでは、パージウォータ・ボタン４１６が操作されて、給水ポンプ６２を起動するように、製氷機１０のコントローラー８０に信号を送信し、および製氷機１０から全ての水をパージするように製氷機のパージ・バルブ５６を開放することができる。ステップ４１２ｃでは、開放バルブ・ボタン４１８が操作されて、給水口バルブ５２を開放するように、製氷機１０のコントローラー８０に信号を送信し、および製氷機１０のパージ・バルブ５６を開放することができる。ステップ４１２ｄでは、マシン・シャットダウン・ボタン４２０が操作されて、製氷機１０を遮断することができる。ステップ４１２ｅでは、拡張シャットダウンの手順を行う人が、テキストボックス３７６にそれらの名前を入力してもよい。拡張シャットダウン完了ボタン４２２の操作によって、製氷機１０の拡張シャットダウンの手順が完了する。
【００８３】
従って、外表面クリーン完了ボタン４０８を操作することにより、アプリケーション１１８が、拡張シャットダウンの記録を製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／または拡張シャットダウンの記録の格納に適切な任意の場所に、書き込みし、保存しおよび／またはアップロードする。従って、この記録は、拡張シャットダウンの様々な態様を決定するために、後でアクセスし、および／または見ることができ、限定されるものではないが、拡張シャットダウンを行う人、拡張シャットダウンが完了した時刻などが含まれる。特定の実施例においては、この記録は、この明細書において別のところでより詳細に記載されているようにサービス記録の集団のうちの１つでもよい。
【００８４】
ここに図７に戻ると、クリーニングコントロール・ボタン３５２を操作することにより、図１４に示されているように、クリーニングコントロール・スクリーン４２５がポータブル電子デバイス１００のユーザ・インターフェース１０８上で提供される。図１４に描かれているように、クリーニングコントロール・スクリーン４２５の実施例は、アクション・ボタンの集団を表示してもよく、アクション・ボタンが操作されると、１つ以上の信号を製氷機１０のコントローラー８０に送信し、コントローラー８０が製氷機１０の１つ以上のコンポーネントを動作させる。従って、クリーニングコントロール・スクリーン４２５のボタンの集団は、ポータブル電子デバイス１００が製氷機１０の動作のうちのいくらかあるいは全てを制御することができるように、ポータブル電子デバイス上のアプリケーション１１８が製氷機ファームウェア９６ａをオーバーライドすることを可能にする。様々な実施例においては、クリーニングコントロール・スクリーン４２５のアクション・ボタンの集団は、限定されるものではないが、クリーニングコントロール・スクリーン４２５が、ハーベスト・ボタン４２７、クリーン・ボタン４２９、消毒ボタン４３１、製氷機１０パワーＯＮ／ＯＦＦボタン４３３、給水ポンプ６２ＯＮ／ＯＦＦボタン４３５、給水口バルブ５２ＯＮ／ＯＦＦボタン４３７、パージ・バルブ５６ＯＮ／ＯＦＦボタン４３９、および／または、いずれのクリーニング・コマンドも完了した場合、どの機械かを特定するためにフェンダン・ボタン４４１を表示する。フェンダン・ボタン４４１が「製氷」に設定された場合、クリーンにすることが完了したとき製氷機１０は氷を作るであろう。フェンダン・ボタン４４１が「ターンオフ」に設定された場合、クリーニングが完了したとき製氷機１０は停止する。また、クリーニングコントロール・スクリーン４２５は、チェックリスト・スクリーン・ボタン３５６に戻ることを含んでおり、操作されたとき、図７に示すようにアプリケーション１１８がチェックリスト・スクリーンに戻る。
【００８５】
図６に戻ると、リマインダ・ボタン３２４を操作することは、図１５に示すように、リマインダ・スクリーン４２４がポータブル電子デバイス１００のユーザ・インターフェース１０８上に提供される。リマインダ・スクリーン４２４は、ボタンの集団を含んでおり、そのボタンは、限定されるものではないが、セット・アップ・リマインダ・ボタン４２６およびセレクト・レシピエント・ボタン４２８を含む。セット・アップ・リマインダ・ボタン４２６およびセレクト・レシピエント・ボタン４２８を操作することは、製氷機１０のクリーンおよび／またはルーチンサービスのためのリマインダを許可し、そしてレシピエント（受信者）に対してリマインダのテキスト・メッセージ、電子メール、ボイス・メール、電話、インスタント・メッセージ、カレンダーリマインダなどを送信する。さらに、リマインダは、ポータブル電子デバイス１００上のカレンダー・アイテムとしてユーザーの個人カレンダーが設定され、あるいは製氷機１０の一般的なリマインダ警告として設定される。また、リマインダ・スクリーン４２４は、メニュー・ボタン３３８に戻すことを含んでおり、操作された時、図６に示されているように、アプリケーション１１８がメニュー・スクリーン３１４が戻る。
【００８６】
セット・アップ・リマインダ・ボタン４２６を操作することは、図１６に示されているように、セット・アップ・リマインダ・スクリーン４３０がポータブル電子デバイス１００のユーザ・インターフェース１０８上で提供される。図１６に描かれているように、セット・アップ・リマインダ・スクリーン４３０の実施例は、製氷機１０のクリーンおよび／またはルーチンサービスのための計画されうるリマインダの集団を表示することができる。また、セット・アップ・リマインダ・スクリーン４３０は、リマインダ・ボタン４３１に戻ることを含んでおり、操作された時、図１５に示すようにアプリケーション１１８がリマインダ・スクリーン４２４に戻る。ラジオ・ボタン３５８の集団は、活性されまたは設定された必要なリマインダを選択するように操作される。特定の実施例において、セット・アップ・リマインダ・スクリーン４３０は、図１６に描かれているリマインダのうちのいくつかあるいは全てを含んでいてもよく、および／または、本発明の範囲を逸脱することなく、描かれていない追加のリマインダを含んでいてもよい。クリーンおよび消毒のリマインダが必要とされる場合、クリーンおよび消毒のリマインダに対応するラジオ・ボタン３５８が選択され、そしてリマインダが生じる時刻がテキストボックス４３２に記入され、選択される。
【００８７】
さらに、浄水器交換リマインダが必要とされた場合、浄水器交換リマインダに対応するラジオ・ボタン３５８が選択され、そしてリマインダが生じる時刻がテキストボックス４３４に記入され、および／または選択される。更に、クリーンおよび消毒の手順が完了していない場合、および／または浄水器が交換されていない場合に、繰り返しリマインダを送ることが必要とされているとき、繰り返しリマインダに対応するラジオ・ボタン３５８が選択され、そして、繰り返しリマインダが生じた時刻がテキストボックス４３６に記入され、および／または選択される。さらに、クリーンおよび消毒の手順が完了し、および／または浄水器が交換されたとき、確認メッセージを送ることが必要な場合、完了したリマインダのときの確認に対応するラジオ・ボタン３５８が選択される。
【００８８】
設定リマインダ・ボタン４３８の操作によって、選択されたリマインダは活性し、あるいは設定される。従って、設定リマインダ・ボタン４３８を操作することにより、アプリケーション１１８が、選択されたリマインダの記録を製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／または選択されたリマインダの記録の格納に適切な任意の場所に、書き込みし、保存しおよび／またはアップロードする。従って、製氷機１０、ポータブル電子デバイス１００、ウェブサイト、コンピューターあるいはサーバー１４２、１４４、１４６、および／または１４８、リモートサーバーなどは、その後、テキストボックス４３２、４３４、４３６に記載された時刻に従って選択されたリマインダを送信してもよい。リマインダは、図１７に関連して記載されているように望ましいレシピエント（受信者）に発送される。特定の実施例においては、また、製氷機１０は、コントローラー８０によって報告されおよび／または示されたように、メッセージ、リマインダ、エラーまたは故障メッセージなどを表示することができるディスプレイ（図示なし）を含む。ディスプレイは、任意のディスプレイであってもよく、限定されるものではないが、本発明の範囲から逸脱しない範囲のＬＣＤスクリーン、１つ以上のＬＥＤなどを含むディスプレイでもよい。特定の実施例においては、製氷機１０は、セットリマインダに対応する可聴警報を提供するアラーム（図示せず）を含めてもよい。アラームは、限定されるものではないが、スピーカー、ブザー、チャイム、ベル、および／または可聴および／または非可聴の音を作ることができる他の装置を含む。
【００８９】
図１５に戻ると、セレクト・レシピエント・ボタン４２８を操作することにより、レシピエント・スクリーン４４０が、図１７に示されているように、ポータブル電子デバイス１００のユーザ・インターフェース１０８上に提供される。レシピエント・スクリーン４４０において、セット・アップ・リマインダ・スクリーン４３０上で選択され、および設定されたリマインダを送付したいレシピエントでリストが作られる。また、レシピエント・スクリーン４４０は、リマインダ・ボタン４３１に戻すことを含んでおり、リマインダ・ボタン４３１が操作された時、図１５に示されるように、リマインダ・スクリーン４２４へアプリケーション１１８を戻す。特定の実施例においては、また、レシピエント・スクリーン４４０は、テスト・ボタン４４２を含んでおり、テスト・ボタン４４２は、リマインダを適切に送受信することができたかどうかを確認するために、１つ以上の選択されたレシピエント（受信者）にテストリマインダを送信することができる。従って、アプリケーション１１８は、選択されたレシピエントの記録を製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／またはレシピエントのリストの記録の格納に適切な任意の場所に、書き込みし、保存しおよび／またはアップロードする。従って、製氷機１０、ポータブル電子デバイス１００、ウェブサイト、コンピューターあるいはサーバー１４２、１４４、１４６および／または１４８、リモートサーバーなどにおける１つ以上は、テキストボックス４３２、４３４、４３６に記載された時間に従って選択されたレシピエントに対してリマインダを発信する。選択されたリマインダは、限定されるものではないが、テキスト・メッセージにより、電子メールにより、ボイス・メールにより、電話により、インスタント・メッセージにより、カレンダーリマインダにより、などの様々な方法によりリストアップされたレシピエントへ送信してもよい。
【００９０】
図６に戻ると、ドキュメント・ボタン３２６を操作することにより、ドキュメント・スクリーン４４４が、図１８に示されているように、ポータブル電子デバイス１００のユーザ・インターフェース１０８上に提供される。図１８に描かれているように、ドキュメント・スクリーン４４４は、限定されるものではないが、冷却装置識別名ボタン４４６、エイジェンシー承認ボタン４４８、パーツマニュアル・ボタン４５０、サービスマニュアル・ボタン４５２、ユーザ用マニュアル・ボタン４５４、性能および仕様ボタン４５６、および保証規定ボタン４５８を含むボタンの集団を含んでもよい。また、ドキュメント・スクリーン４４４は、メニュー・スクリーン・ボタン３３８への戻すことを含んでおり、メニュー・スクリーン・ボタン３３８が操作された時、図６に示されているように、アプリケーション１１８をメニュー・スクリーン３１４へ戻す。利用可能なドキュメントは、ポータブル電子デバイス１００が接続された製氷機１０に対応するものを見るためにデフォルトとなるかもしれない。従って、操作するエイジェンシー承認ボタン４４６、パーツマニュアル・ボタン４５０、サービスマニュアル・ボタン４５２、ユーザ用マニュアル・ボタン４５４、性能および仕様ボタン４５６、および保証規定ボタン４５８は、ポータブル電子デバイス１００が接続される製氷機１０に対応する情報を提供し、または表示することができる。冷却装置識別名ボタン４４６は、名前、シリアル番号、モデル番号、および／または他の製氷機１０、即ち、ポータブル電子デバイス１００が接続され、ドキュメントが必要な装置を表示してもよい。さらに、冷却装置識別名ボタン４４６は、名前、シリアル番号、モデル番号および／または他の製氷機１０、即ちポータブル電子デバイス１００が現在接続されない冷却装置１０００を選択するために操作されてもよい。特定の実施例においては、ユーザーが、冷却装置１０００に接続されているポータブル電子デバイス１００のない冷却装置１０００に関する情報を調べることを可能としてもよい。他の実施例においては、ポータブル電子デバイス１００が現在接続されていない冷却装置を選択するために、冷却装置識別名ボタン４４６を操作して、ユーザーがポータブル電子デバイス１００が接続される冷却装置１０００と異なる冷却装置１０００に関する情報を調べることを可能としてもよい。
【００９１】
様々な実施例においては、アプリケーション１１８が、エイジェンシー承認書、パーツマニュアル、サービスマニュアル、ユーザ用マニュアル、性能および仕様書、および保証規定などを提供し、および／または表示してもよい。特定の実施例においては、例えば、エイジェンシー承認書、パーツマニュアル、サービスマニュアル、ユーザ用マニュアル、性能および仕様書、および保証規定の１つ以上は、ポータブル電子デバイス１００のメモリ１１０上に格納してもよい。他の実施例においては、例えば、エイジェンシー承認書、パーツマニュアル、サービスマニュアル、ユーザ用マニュアル、性能および仕様書、および保証規定は、製氷機１０のメモリ９０、ウェブサイト、コンピューターあるいはサーバー１４２、１４４、１４６および／または１４８、リモートサーバー、および／またはそのような情報をダウンロードできるあらゆる適切な場所からダウンロードしてもよい。したがって、特定の実施例においては、最も最新のドキュメントが、表示されるかもしれない。これらのドキュメントは、後で見るために、印刷され、電子メールされ、ダウンロードされ、あるいは転送される。
【００９２】
エイジェンシー承認ボタン４４８が操作することにより、図１９に示されているように、エイジェンシー承認スクリーン４５８がポータブル電子デバイス１００のユーザ・インターフェース１０８上に提供される。図１９に描かれているように、エイジェンシー承認スクリーン４５８は、限定されるものではないが、アンダーライタ・ラボラトリ（ＵＬ）承認ボタン４６２、ＣＥ承認ボタン４６４、ＮＳＦリスティング・ボタン４６６、およびシティ承認ボタン４６８を含むボタンの集団を含んでもよい。また、エイジェンシー承認スクリーン４５８は、ドキュメント・スクリーン・ボタン４６０に戻ることを含んでもよく、ドキュメント・スクリーン・ボタン４６０は、操作された時、図１８に示すように、アプリケーション１１８がドキュメント・スクリーンに戻る。アンダーライタ・ラボラトリ（ＵＬ）承認ボタン４６２、ＣＥ承認ボタン４６４、およびＮＳＦリスティング・ボタン４６６を操作して、ポータブル電子デバイス１００が接続される製氷機１０に明確なエイジェンシー承認情報を提供してもよい。さらに、図２０に示されているように、シティ承認ボタン４６８を操作して、ポータブル電子デバイス１００が接続される製氷機１０に正確な特定のシティ承認情報を提供してもよい。したがって、シティ承認ボタン４６８を操作することは、図２０に示されているように、シティ承認スクリーン４７０がポータブル電子デバイス１００のユーザ・インターフェース１０８上に提供される。図２０に描かれているように、シティ承認スクリーン４７０は、対応するシティからの承認情報にアクセスするために操作されるシティ名ボタンの集団を含んでもよい。また、シティ承認スクリーン４７０は、エイジェンシー承認スクリーン・ボタン４７２に戻ることを含んでもよく、エイジェンシー承認スクリーン・ボタン４７２が、操作された時、図１８に示されているように、アプリケーション１１８がエイジェンシー承認スクリーン４５８に戻る。
【００９３】
図６に戻ると、保証ボタン３２８を操作することにより、保証スクリーン４７４が、図２１に示されているように、ポータブル電子デバイス１００のユーザ・インターフェース１０８上に提供される。図２１に描かれているように、保証スクリーン４７４は、限定されるものではないが、メニュー・ボタン３３８、保証ステータス・ボタン４７６および保証規定ボタン４７８に戻ることを含むボタンの集団を含んでもよい。また、メニュー・スクリーン・ボタン３３８に戻ることは、操作された時、図６に示されているように、メニュー・スクリーン３１４にアプリケーション１１８を戻す。保証ステータス・ボタン４７６を操作して、保証ステータス・スクリーン４８０が、図２２に示されているように、ポータブル電子デバイス１００のユーザ・インターフェース１０８上に提供される。図２２に描かれているように、保証ステータス・スクリーン４８０は、ポータブル電子デバイス１００が接続される製氷機１０に特有の保証ステータス情報を提供する。また、保証ステータス・スクリーン４８０は、操作された時、図２１に示されているように、アプリケーション１１８を保証スクリーン４７４に戻す保証スクリーン・ボタン４８２が含まれてもよい。
【００９４】
従って、保証ステータス・ボタン４７６を操作することにより、製氷機１０のシリアル番号に対応する保証ステータス情報を決定し、および表示するために、アプリケーション１１８を、コンピューターあるいはサーバー１４２、１４４、１４６および／または１４８、に設けられたデータベースに問い合わせてもよい。アプリケーション１１８、製氷機１０のシリアル番号に対応する製氷機１０の保証ステータス情報、および製氷機１０のコントローラー８０にプログラムされた、および／またはアプリケーション１１８へプログラムされた保証規定を使用することにより、製氷機１０に格納されたインストールデータを、追加的にまたは代替的に表示してもよい。保証ステータス情報は、限定されるものではないが、製氷機１０のシリアル番号、製氷機１０の名前、製氷機１０がインストールされた日付、製氷機１０のための稼働保証が終了する日付、製氷機１０のための部品保証が終了する日付、製氷機１０が稼働保証にカバーされているかまたはいないかの表示などが含まれる。また、保証ステータス情報は、製氷機１０の持ち主に関する情報を含んでいてもよく、その持ち主に関する情報としては、限定されるものではないが、名前、電子メール、電話番号、住所、および／または他のコンタクト情報を含んでもよい。さらに、保証ステータス・スクリーン４８０に表示された保証ステータス情報は、製氷機１０の場所を含んでもよい。製氷機１０の場所は、この明細書の他のところでより詳細に述べるように、設定することができる。
【００９５】
図６に戻ると、氷設定ボタン３３０を操作することにより、図２３に示すように、氷設定スクリーン４８４が、ポータブル電子デバイス１００のユーザ・インターフェース１０８上に提供される。図２３に描かれているように、氷設定スクリーン４８４は、限定されるものではないが、現在のマシン名ボタン４８６、キューブ厚みボタン４８８、パージ量ボタン４９０、および省エネルギー・ボタンを含むボタンの集団を含んでもよい。また、氷設定スクリーン４８４は、メニュー・スクリーン・ボタン３３８に戻すことを含んでいてもよく、それは、図６に示されているように、操作された時、アプリケーション１１８をメニュー・スクリーン３１４に戻す。現在のマシン名ボタン４８６を操作して、マシン名スクリーン４９４が、図２４に示されているように、ポータブル電子デバイス１００のユーザ・インターフェース１０８上に提供されてもよい。マシン名スクリーン４９４は、ポータブル電子デバイス１００が接続され、製氷機１０の名前の記入を許可する製氷機１０の形式、シリアル番号、モデル番号などを提供し、表示する。図２４に描かれているように、マシン名スクリーン４９４は、製氷機１０の識別を補助するために、製氷機１０の名前を入力するテキストボックス３７６を含んでいてもよい。名前記録ボタン４９８を操作して、アプリケーション１１８が、テキストボックス３７６に入力された名前の記録を、製氷機１０のメモリ９０に、ポータブル電子デバイス１００のメモリ１１０に、ウェブサイトに、コンピューターまたはサーバー１４２、１４４、１４６および／または１４８に、リモートサーバーに、および／または製氷機１０の名前の記録を格納するのに適切な任意の場所に、書き込みし、保存しおよび／またはアップロードしてもよい。特定の実施例においては、この記録は、この明細書の他のところでより詳細に述べるように、サービス記録の集団のうちの１つでもよい。また、マシン名スクリーン４９４は、氷設定スクリーン・ボタン４９６に戻すことを含んでいてもよく、操作された時、図２３に示すように、アプリケーション１１８を氷設定スクリーン４８４に戻してもよい。
【００９６】
図２３に戻ると、キューブ厚みボタン４８８を操作することにより、氷厚みスクリーン５００が、図２５に示されているように、ポータブル電子デバイス１００のユーザ・インターフェース１０８上に提供される。図２５に描かれているように、氷厚みスクリーン５００は、限定されるものではないが、氷設定ボタン４９６、氷厚みインプット５０２、および氷厚み設定ボタン５０４に戻ることを含んでいてもよい。現在の氷厚みの設定は、ポータブル電子デバイス１００のユーザ・インターフェース１０８に表示される。氷厚みインプット５０２は、製氷機１０によって作られる氷の厚みの設定を可能とする。氷厚みインプット５０２は、所望の氷の厚みを選択するためにスライドすることができるスライダとして描かれている。しかしながら、氷厚みインプット５０２は、製氷機１０によって作られる氷の厚みを入力し、および／または選択することを可能にする任意の形式のユーザ・インターフェース・エレメントでもよいことは理解されるであろうし、ユーザ・インターフェース・エレメントとしては、限定されるものではないが、本発明の範囲を逸脱しない範囲でテキストボックス、ナンバーピッカーなどを含む。製氷機ファームウェア９６ａが、選択された厚みに氷を生産することができるように、氷厚み設定ボタン５０４を操作して、アプリケーション１１８が、製氷機１０のメモリ９０に設定された氷厚みの記録を書き込みし、保存しおよび／またはアップロードする。特定の実施例においては、アプリケーション１１８が、選択された氷の厚みの記録を、ポータブル電子デバイス１００の記憶１１０に、ウェブサイトに、コンピューターまたはサーバー１４２、１４４、１４６および／または１４８に、リモートサーバーに、および／または氷の選択された厚みの記録の格納に適切な任意の場所に、書き込みし、保存しおよび／またはアップロードしてもよい。特定の実施例においては、この記録は、この明細書の他のところでより詳細に述べているようにサービス記録の集団のうちの１つでもよい。
【００９７】
必要に応じて、追加操作設定は、氷設定ボタン４９６に戻る操作を行うことにより、図２３に示すように、氷設定スクリーンに戻って設定することができる。そこで、パージ量ボタン４９０を操作することにより、パージ量スクリーン５０６が、図２６に示されているように、ポータブル電子デバイス１００のユーザ・インターフェース１０８上に提供される。現在のパージ量設定は、ポータブル電子デバイス１００のユーザ・インターフェース１０８に表示される。図２６に描かれているように、パージ量スクリーン５０６は、限定されるものではないが、氷設定ボタン４９６、パージ量入力５０８、ラジオ・ボタン３５８、およびパージ量設定ボタン５１０を含む。パージ量インプット５０８は、氷の設定された量当たりの製氷機１０からパージされる水の量を設定することを可能にする。従って、パージ量は、各製氷サイクル中における製氷機１０から流れ出る水の量である。様々な実施例においては、パージ量は、氷１００ポンド当たりのガロンで測定できる。パージ量は、本発明の範囲から逸脱しない範囲で、様々な方法において測定されることが理解されるであろう。図２６に示されているように、例えば、パージ量は、氷の１００ポンド当たり１８から２４ガロンに設定され得るが、パージ量の他の最小および最大の限界としては、本発明の範囲から逸脱しない範囲で特定されることが理解されであろう。
【００９８】
パージ量インプット５０８は、所望のパージ量を設定するためにスライドさせることができるスライダとして描かれている。しかしながら、パージ量インプット５０８が、パージ量を入力し、および／または選択することを可能とする任意の形式のユーザ・インターフェース・エレメントでもよいことが理解されるであろうし、限定されるものではないが、テキストボックス、ナンバーピッカーなどを含む。さらに、ラジオ・ボタン３５８は、製氷機１０が逆浸透（ＲＯ）あるいは非イオン化（ＤＩ）水を使用するかどうかを示すために選択される。ラジオ・ボタン３５８がＲＯあるいはＤＩ水が使用されていることを示すために選択されていれば、製氷機１０はどのような水もパージしない（ゼロパージ）。パージ量設定ボタン５０８を操作して、製氷機ファームウェア９６ａが、氷の選択された量を除去することができるように、アプリケーション１１８が、選択されたパージ量の記録を製氷機１０のメモリ９０に、書き込みし、保存しおよび／またはアップロードされてもよい。また、特定の実施例においては、アプリケーション１１８は、選択されたパージ量の記録を、ポータブル電子デバイス１００のメモリ１１０に、ウェブサイトに、コンピューターまたはサーバー１４２、１４４、１４６および／または１４８に、リモートサーバーに、および／または選択されたパージ量の記録を格納するに適切な任意の場所に、書き込みし、保存しおよび／またはアップロードしてもよい。
【００９９】
必要に応じて、追加の氷設定は、氷設定ボタン４９６に戻る操作により、図２３に示すように、氷設定スクリーンに戻り設定されうる。そこで、省エネルギー・ボタン４９２を操作して、省エネルギー・スクリーン５１２が、図２７に示されているように、ポータブル電子デバイス１００のユーザ・インターフェース１０８上に提供される。図２７に描かれているように、省エネルギー・スクリーン５１２は、限定されるものではないが、氷設定ボタン４９６、氷生産時間ボタン５１４、および毎日の氷生産限度ボタン５１６を含むボタンの集団を含んでいる。氷生産時間ボタン５１４を操作して、氷生産時間スクリーン５１８が、図２８に示されているように、ポータブル電子デバイス１００のユーザ・インターフェース１０８上に提供される。図２８に描かれているように、氷生産時間スクリーン５１８は、その周の毎日の氷生産のオンオフ時刻に対応するテキストボックス３７６の集団、および、時間設定ボタン５２２を含む。
【０１００】
従って、氷生産が終了となる（ＯＦＦ）時刻、および氷生産が開始となる（ＯＮ）時刻は、その週の毎日設定することができる。このオプションは、製氷機１０が、その日のある期間において省エネルギーにすることを可能にする。特定の実施例においては、氷生産時間スクリーン５１８は、氷生産時間を、一日毎に、一週毎に、一か月毎に、一年毎になどで設定することができるカレンダーを提供してもよい。製氷機ファームウェア９６ａが選択された開始（ＯＮ）および停止（ＯＦＦ）の間に氷を生産することができるように、時間設定ボタン５２２を操作することにより、アプリケーション１１８が、設定された氷生産時刻の記録を製氷機１０のメモリ９０に書き込みし、保存しおよび／またはアップロードする。また、特定の実施例においては、アプリケーション１１８が、設定された氷生産時間の記録を、ポータブル電子デバイス１００のメモリ１１０に、ウェブサイトに、コンピューターまたはサーバー１４２、１４４、１４６および／または１４８に、リモートサーバーに、および／または設定された氷生産時間の記録を格納するに適切な任意の場所に、書き込みし、保存しおよび／またはアップロードする。
【０１０１】
必要に応じて、追加の省エネルギー設定は、省エネルギー・スクリーン・ボタン５２０に戻る操作を行うことにより、図２７に示すように、省エネルギー・スクリーン５１２に戻って設定することができる。そこで、毎日の氷生産限度ボタン５１６を操作して、毎日の氷生産限度スクリーン５２４が、図２９に示されているように、ポータブル電子デバイス１００のユーザ・インターフェース１０８上に提供される。図２９に描かれているように、毎日の氷生産限度スクリーン５２４は、その週の毎日毎の最大氷生産限度に対応するテキストボックス３７６の集団、限度設定ボタン５２６を含んでいる。様々な実施例においては、最大氷生産限度は、氷のポンドで測定される。最大氷生産限度は、本発明の範囲から逸脱しない範囲で様々な方法で測定されることが理解されるであろう。その週の日々においては、異なる、および／または同じ最大氷生産限度を有しているかもしれない。必要に応じて、例えば、氷生産限度は、金曜日、土曜日および日曜日にその週の残り曜日より、より高く設定され得る。従って、製氷機１０によって作られる氷の最大量は、その週の毎日毎に設定することができる。特定の実施例においては、毎日の氷生産限度スクリーン５２４が、最大氷産生量を一日毎に、一週毎に、一か月毎に、一年毎になどで設定することができるカレンダーを提供してもよい。
【０１０２】
特定の実施例においては、最大氷生産限度は、氷生産時間スクリーン５１８に設定された氷生産時間がオーバーライドされるかもしれない。例えば、製氷機１０は、ある日の午前８時から午後８時に氷を作るように設定されてもよく、その同じ日に最高１００ポンドの氷を作るように設定されてもよい。従って、製氷機１０は、その日に午後８時前に１００ポンドの氷を作った場合には、たとえ時刻が氷生産時間に到達していなくても、氷生産最大に到達したとき、製氷機１０は氷の生産を停止してもよい。他の実施例においては、時刻が氷生産時間に到達するまで、製氷機１０は最大氷生産限度を越えて、氷を作り続けてもよい。最大氷生産限度に到達するまで、製氷機ファームウェア９６ａが氷を生産することができるように、限度設定ボタン５２６を操作して、アプリケーション１１８が、設定された最大氷生産限度の記録を製氷機１０のメモリ９０に書き込みし、保存しおよび／またはアップロードしてもよい。また、特定の実施例においては、アプリケーション１１８が、設定された最大氷生産限度の記録を、ポータブル電子デバイス１００のメモリ１１０に、ウェブサイトに、コンピューターまたはサーバー１４２、１４４、１４６および／または１４８に、リモートサーバーに、および／または設定された最大氷生産限度の記録の格納に適切な任意の場所に、書き込みし、保存しおよび／またはアップロードしてもよい。また、生産限度スクリーン５２４は、エネルギー・スクリーン・ボタン５２０に戻すことを含んでおり、エネルギー・スクリーン・ボタン５２０が、操作された時、図２３に示されているように、アプリケーション１１８を省エネルギー・スクリーン５１２に戻す。
【０１０３】
図６に戻ると、サービス・ボタン３３２を操作して、サービス・スクリーン５２８が、図３０に示されているように、ポータブル電子デバイス１００のユーザ・インターフェース１０８上に提供される。図３０に描かれているように、サービス・スクリーン５２８は、限定されるものではないが、メニュー・スクリーン・ボタン３３８、メーカー接触ボタン５３０、オーバーライド・コントローラー・ボタン５３２、自動診断ボタン５３４、履歴ログ・ボタン５３６、およびファームウェア・ボタン５３８に戻すことを含むボタンの集団を含んでいる。メニュー・スクリーン戻りボタン３３８は、操作された時、図６において示されているように、メニュー・スクリーン３１４にアプリケーション１１８を戻してもよい。
【０１０４】
メーカー接触ボタン５３０を操作して、メーカー接触スクリーン５４０は、図３１に示されているように、ポータブル電子デバイス１００のユーザ・インターフェース１０８上に提供される。図３１に描かれているように、メーカー接触スクリーン５４０は、限定されるものではないが、サービス・スクリーン・ボタン５４２、コール・アス・ボタン５４４、およびイーメール・アス・ボタン５４６に戻ることを含むボタンの集団を含んでいる。コール・アス・ボタン５４４を操作して、製氷機１０のメーカーへの通話を開始してもよい。通話は、ポータブル電子デバイス１００上で実行されてもよい。イーメール・アス・ボタン５４６を操作して、電子メールが構成され、製氷機１０のメーカーへ送信されるアプリケーションを開始してもよい。また、特定の実施例においては、メーカー接触スクリーン５４０は、限定されるものではないが、製氷機１０の最も近いディーラーのリスト、製氷機１０の最も近いサービスのリストおよび／または製氷機１０のための工場受付のリストを含む他の情報を表示してもよい。サービス・スクリーン・ボタン５４２に戻す操作は、図３０に示されているように、アプリケーション１１８をサービス・スクリーン５２８に戻してもよい。
【０１０５】
従って、必要に応じて、追加のサービス機能は、サービス・スクリーン・ボタン５４２に戻す操作により、図３０に示されているように、サービス・スクリーン５２８に戻ることによって、実行されうる。そこで、オーバーライド・コントローラー・ボタン５３２を操作することは、オーバーライド・コントローラー・スクリーン５４８が、図３２Ａと３２Ｂに示されているように、ポータブル電子デバイス１００のユーザ・インターフェース１０８上に提供される。オーバーライド・コントローラー・スクリーン５４８は、スクロールすることができるスクリーンであり、そして、全体のスクリーンを表示するように、スクロールされた異なる位置での多数のビューが図３２Ａと３２Ｂに示されている。オーバーライド・コントローラー・スクリーン５４８を操作することにより、ポータブル電子デバイス１００上のアプリケーション１１８が、アプリケーション１１８がモニターすること、および／または製氷機１０のコントローラー８０をオーバーライドする製氷機１０のコントローラー８０に信号を送信し、コントローラー８０から信号を受信することを可能とする。したがって、アプリケーション１１８は、製氷機１０の様々なコンポーネントの現在の、および／または履歴の操作情報に関する情報を受け取ることができる。
【０１０６】
従って、特定の実施例においては、オーバーライド・コントローラー・スクリーン５４８は、コンプレッサ１２、コンデンサー・ファン１５、給水ポンプ６２、ホット・ガス・バルブ２４、パージ弁５６、給水口バルブ５２の１つ以上の動作情報を表示してもよい。他の実施例においては、オーバーライド・コントローラー・スクリーン５４８は、氷貯蔵ビンが満杯かどうかに関する情報、および製氷機１０の溜りの水位の深さに関する情報を表示する。従って、アプリケーション１１８は、コントローラー８０に、コントローラー８０のメモリ９０に格納された製氷機ファームウェア９６ａに従う代わりにアプリケーション１１８からの入力に従って製氷機を操作させることができる。オーバーライド・コントローラー・スクリーン５４８は、製氷機１０のコントローラー８０によってポータブル電子デバイス１００に報告した製氷機１０の操作状態に関する情報を、提供し、または表示することができる。この情報としては、制限されるものではないが、製氷機１０の現在の動作モード（例えば、冷凍、ハーベスト、パージ、など）、そのモードにおいて予想される残り時間、最後の冷却サイクルあるいはモードの期間、最後のハーベストサイクルあるいはモードの期間、溜まりの中の水の高さ、内蔵のバッテリー（もし装備をされていれば）の充電量などを含むかもしれない。
【０１０７】
更に、オーバーライド・コントローラー・スクリーン５４８は、選択された時、コントローラー８０をオーバーライドするようコントローラー８０に信号を送信するラジオ・ボタン３５８の集団を含む。したがって、アプリケーション１１８は、製氷機１０の様々なコンポーネントを操作するようにコントローラー８０を強制することができる。例えば、ラジオ・ボタン３５８ａを選択すると、アプリケーション１１８が給水ポンプ６２を起動するようコントローラー８０に強制する信号をコントローラー８０に送信する、ラジオ・ボタン３５８ｂを選択すると、アプリケーション１１８がホット・ガス・バルブ２４を開くようコントローラー８０に強制する信号をコントローラー８０に送信する、ラジオ・ボタンを３５８ｃを選択すると、アプリケーション１１８がパージ弁２４を開くようコントローラー８０に強制する信号をコントローラー８０に送信する、ラジオ・ボタン３５８ｄを選択すると、アプリケーション１１８がコンデンサー・ファン１５を起動するようコントローラー８０に強制する信号をコントローラー８０に送信する、ラジオ・ボタン３５８ｅを選択すると、アプリケーション１１８がコンプレッサ１２を起動するようコントローラー８０に強制する信号をコントローラー８０に送信する、ラジオ・ボタンを３５８ｆを選択すると、アプリケーション１１８が給水口バルブ５２を開くようコントローラー８０を強制する信号をコントローラー８０に送信する、ことを行ってもよい。さらに、オーバーライド・コントローラー・スクリーン５４８は、製氷機１０の追加のコンポーネントをオーバーライドするために１つ以上の予備のラジオ・ボタン３５８を含んでもよい。
【０１０８】
特定の実施例においては、オーバーライド・コントローラー・スクリーン５４８上のラジオ・ボタン３５８の集団のうちのいくらかあるいはすべては、同時または同様の時に選択されてもよい。例えば、ラジオ・ボタン３５８ａ、３５８ｂおよび３５８ｃは、すべてが同時に、あるいは略同時ぐらいに選択されてもよい。他の実施例においては、オーバーライド・コントローラー・スクリーン５４８上のラジオ・ボタン３５８の集団のうちの１つだけがその時に選択されてもよい。特定の実施例においては、アプリケーション１１８によるコントローラー８０のオーバーライドは、ある期間の間、続いてもよい。その期間としては、約５秒から約１分（例えば、約５秒、約１０秒、約１５秒、約２０秒、約２５秒、約３０秒、約３５秒、約４０秒、約４５秒、約５０秒、約５５秒、約１分）であってもよい。他の実施例においては、ラジオ・ボタン３５８が選択されている限り、アプリケーション１１８によるコントローラー８０のオーバーライドは続いてもよい。アプリケーション１１８でコントローラー８０をオーバーライドすることによって、製氷機１０のコンポーネントが適切に動いているかどうかが判断されて、製氷機１０は診断される。
【０１０９】
必要に応じて、サービス・スクリーン・ボタン５４２に戻る操作を行うことにより、図３０に示されているように、追加のサービス機能は、サービス・スクリーン５２８に戻ることにより実行される。そこで、自動診断ボタン５３４を操作することにより、自動診断スクリーン５５０は、図３３Ａと３３Ｂに示されているように、ポータブル電子デバイス１００のユーザ・インターフェース１０８上に提供される。自動診断スクリーン５５０は、スクロールすることができるスクリーンであり、全スクリーンを表示するように、スクロールされた異なる位置の多数のビューが、図３３Ａと３３Ｂに示されている。自動診断ボタン５３４を操作して、ポータブル電子デバイス１００上のアプリケーション１１８が、診断ルーチンを始めるために製氷機１０のコントローラー８０に信号を送信し、および／またはコントローラー８０から受け取るようにしてもよい。そこで、製氷機１０のコントローラー８０は、製氷機１０のコンポーネントの故障モードを検知するために診断ルーチンを行うことができ、ポータブル電子デバイス１００に信号を送り、それにより、診断ルーチンの結果を連絡する。このため、アプリケーション１１８は、ユーザ・インターフェース１０８上に診断ルーチンの結果を提供し表示することができる。従って、ユーザーは、製氷機１０のコンポーネントの動作状態に関する情報を見ることができる。自動診断スクリーン５５０は、製氷機１０の診断ルーチンの結果を示すことができるラジオ・ボタン３５８の集団を含んでいてもよい。
【０１１０】
特定の実施例においては、ラジオ・ボタン３５８の集団のうちのいくらかあるいはすべては、製氷機１０の診断ルーチンの結果に関してコントローラー８０から受信した情報に基づいたアプリケーション１１８によって選択される。例えば、診断ルーチンが１つ以上の故障モードを示す場合、アプリケーション１１８は、１つ以上のラジオ・ボタン３５８が１つ以上の故障モードが検知されたものを表示するようにしてもよい。特定の実施例においては、アプリケーション１１８は、１つ以上のラジオ・ボタン３５８を赤くすることにより、故障モードが検知されたことを示してもよい。したがって、製氷機１０の１つ以上のコンポーネントが適切に動作していることを診断ルーチンが示している場合、アプリケーション１１８は、１つ以上のラジオ・ボタン３５８が製氷機１０の１つ以上のコンポーネントが適切に動作していることを表示するようにしてもよい。特定の実施例においては、アプリケーション１１８は、１つ以上のラジオ・ボタン３５８を緑色に変えることにより、製氷機１０の１つ以上のコンポーネントが適切に動作していることを示してもよい。したがって、ユーザーがラジオ・ボタンの集団を選択する必要なく、ラジオ・ボタン３５８の集団は、診断ルーチンの結果を示すことができる。本発明の範囲を逸脱しない範囲で、診断ルーチンの結果を表示する他の手段が使用できることは理解できるであろう。
【０１１１】
例えば、ポータブル電子デバイス１００上のアプリケーション１１８は、コントローラー８０および／または製氷機１０が電源を有しているかどうかを製氷機１０とのコミュニケーション・ステータスから判断することができる。コントローラー８０および／または製氷機１０が電源を有していない場合、ポータブル電子デバイス１００は製氷機１０に接続することができない。コントローラー８０および／または製氷機１０が電源を有していなければ、アプリケーション１１８は電源に関する問題を示して、ラジオ・ボタンを３５８ｈを赤くしてもよい。そこで、アプリケーション１１８は、製氷機１０が電力を有していない理由を表示することができる。別の例において、給水口バルブ５２が適切に動作していることを製氷機１０のコントローラー８０により実行された診断ルーチンが決めた場合、アプリケーション１１８はラジオ・ボタン３５８ｊを緑色にしてもよい。
【０１１２】
コントローラー８０は、アプリケーション１１８から更なる介入がなく製氷機１０の特定のコンポーネントの診断ルーチンを行っている間、コントローラー８０は、製氷機１０の他のコンポーネントの診断ルーチンを行うことができない。例えば、製氷機１０のコントローラー８０は、コンデンサー・ファン１５、コンプレッサ１２および／またはホット・ガス・バルブ２４に電力が供給されているかどうかを判断することができるが、特定の実施例においては、コントローラー８０がこれらのコンポーネントのうちのいずれもが実際に動作しているか、または動作していないかを判断することができないかもしれない。これらのコンポーネントのために、そしてコントローラー８０が自動診断ルーチンを行うことができないかもしれない他の潜在的な可能性のために、アプリケーション１１８の診断の特徴は、製氷機１０に関する問題を診断するためにアプリケーション１１８のユーザーに提供された情報を使用できることである。ファン・オン・ボタン３５２、コンプレッサ・オン・ボタン５５４、および／または、ホット・ガス・バルブ・オン・ボタン５５６を操作することにより、製氷機１０のコンポーネントの１つ以上で故障モードが生じたかどうかを決定するコントローラー８０において補助するために、信号が、ポータブル電子デバイス１００上のアプリケーション１１８から製氷機１０のコントローラー８０に送信することができる。例えば、コントローラー８０は、コンデンサー・ファン１５を起動することを試みることができ、そしてアプリケーション１１８のユーザーは、コンデンサー・ファン１５が起動しているかどうかを見ることができ、および／または聞くことができる。ユーザーがコンデンサー・ファン１５をオフすることを決めた場合、コンデンサー・ファン１５がオフとなるように、ユーザーは、ファン・オン・ボタン３５２をオフに操作して、コントローラー８０に送信することができる。そこで、アプリケーション１１８は故障モードを示す、ラジオ・ボタン３５８ｋを赤くする。
【０１１３】
１つ以上のコンポーネントの１つ以上の故障モードが生じた場合、アプリケーション１１８は、ユーザ・インターフェース１０８上、故障モードが生じた理由の可能性のある説明を示す１つ以上のスクリーンを提供し、または表示してもよい。故障モードに対する潜在的な処置は、ユーザ・インターフェース１０８上に提供されるか、または表示される。例えば、図３４に示されているように、製氷機１０がビン・スイッチを含み、ビン・スイッチの故障モードの発生が決定した場合、ラジオ・ボタン３５８ｉは、故障モードが検知されたことを示し、ビン・スイッチ・フェイラー・スクリーン５５１がポータブル電子デバイス１００のユーザ・インターフェース１０８上に提供され、または表示される。ビン・スイッチ・フェイラー・スクリーンは、故障モードまたは故障モードの原因となる問題点をリストにあげてもよい。また、ビン・スイッチ・フェイラー・スクリーン５５１は、診断スクリーン・ボタン５５３に戻すことを含んでもよく、診断スクリーン・ボタン５５３が操作された時、図３３Ａと３３Ｂに示されているように、アプリケーション１１８を診断スクリーン５５０に戻す。本発明の範囲を逸脱しない範囲で、製氷機１０の他のコンポーネントの１つ以上のために、ビン・スイッチ・フェイラー・スクリーン５５１に類似のスクリーンをアプリケーション１１８が提供し、表示することが理解されるであろう。
【０１１４】
必要に応じて、追加のサービス機能は、サービス・スクリーン・ボタン５４２に戻す操作を行うことにより、図３０に示されているように、サービス・スクリーン５２８に戻ることによって、実行されうる。そこで、履歴ログ・ボタン５３６を操作することにより、履歴スクリーン５５８が、図３５に示されているように、ポータブル電子デバイス１００のユーザ・インターフェース１０８上で提供される。図３５に描かれているように、履歴スクリーン５５８は、限定されるものではないが、サービス・スクリーン・ボタン５４２、サービス履歴ボタン５６０、実行履歴ボタン５３２、イベント・ログ・ボタン５６４に戻すことを含むボタンの集団を含む。サービス・スクリーン・ボタン５４２に戻す操作は、図３０に示されているように、アプリケーション１１８をサービス・スクリーン５２８に戻す。サービス履歴ボタン５６０を操作することにより、サービス履歴スクリーン５６６が、図３６に示されているように、ポータブル電子デバイス１００のユーザ・インターフェース１０８上で提供される。さらに、アプリケーション１１８のサービス履歴ボタン５６０を操作することにより、アプリケーション１１８が、製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／または製氷機１０のサービス記録データを格納するあらゆる適切な場所に保存されたサービス記録データにアクセスし、および読み込むことができる。図３６に描かれているように、サービス履歴スクリーン５６６は、限定されるものではないが、履歴スクリーン・ボタン５６８および追加新サービス記録ボタン５７０に戻すことを含むボタンの集団を含んでもよい。また、サービス履歴スクリーン５６６は、以前のサービス記録のリストを表示することができ、それにより、ポータブル電子デバイス１００が付けられている製氷機１０のためのサービス履歴を示している。履歴スクリーン・ボタン５６８に戻る操作は、図３５に示されているように、履歴スクリーン５５８にアプリケーション１１８を戻す。
【０１１５】
従って、この明細書の他において詳細に述べているように、アプリケーション１１８を使用して様々なアクションが完了した後、サービス記録データは、アプリケーション１１８により追加投入される。限定されるものではないが、これには、インストールがインスタレーション完了ボタン３７８（図８Ａおよび８Ｂ、８Ｃ参照）を操作することにより完了した場合、クイッククリーンがクイッククリーン完了ボタン３８５（図９参照）を操作することにより完了した場合、フルクリーンがフルクリーン完了ボタン３９６（図１０Ａ、１０Ｂ、１０Ｃ参照）を操作することにより完了した場合、フル消毒がフル消毒完了ボタン４０２（図１１参照）を操作することにより完了した場合、外表面クリーンが外表面クリーン完了ボタン４０８（図１２参照）を操作することにより完了した場合、および／または、拡張シャットダウンが拡張シャットダウン完了ボタン４２２（図１３Ａ、１３Ｂ参照）を操作することにより完了した場合、が含まれる。
【０１１６】
また、他のサービス記録データと同様に上記のサービス記録データは、サービス記録情報の入力を許可する追加サービス記録ボタン５７０を操作することにより追加される。サービス記録情報としては、限定されるものではないが、サービスを行う人、行われたサービスの形式、サービスの日付、および／またはサービスに関する注意点を含む。そこで、アプリケーション１１８は、追加されたサービス記録を、製氷機１０のメモリ９０に、ポータブル電子デバイス１００のメモリ１１０に、ウェブサイトに、コンピューターまたはサーバー１４２、１４４、１４６および／または１４８に、リモートサーバーに、および／またはサービス記録データの格納するのに適切な任意の場所に、書き込みし、保存しおよび／またはアップロードする。必要に応じて、追加の履歴情報は、履歴スクリーン・ボタン５６８に戻す操作により、図３５に示されているように、履歴スクリーン５５８に戻ることによって見ることができる。
【０１１７】
図３５に戻ると、実行履歴ボタン５６２を操作すると、実行履歴スクリーン５７２を、図３７に示されているように、ポータブル電子デバイス１００のユーザ・インターフェース１０８上に提供する。また、アプリケーション１１８の実行履歴ボタン５６２を操作すると、製氷機１０のメモリ９０、ポータブル電子デバイス１００のメモリ１１０、ウェブサイト、コンピューターあるいはサーバー１４２、１４４、１４６および／または１４８、リモートサーバーおよび／または製氷機１０の実行履歴情報を格納するあらゆる適切な場所に格納されたサービス実行履歴情報に、アプリケーション１１８を、アクセスし、および読み込むようにする。特定の実施例においては、実行履歴スクリーン５７２に表示された実行履歴情報は、限定されるものではないが、生産された氷の量、エネルギー消費量、使用された水の重量、あるいは必要とされるあらゆる他の実行履歴情報が含まれる。特定の実施例においては、過去７日のそれぞれの実行履歴情報が表示されてもよい。他の実施例においては、先月の実行履歴情報が表示されてもよい。また、他の実施例においては、昨年の実行履歴情報が表示されてもよい。従って、実行履歴情報は、本発明の範囲を逸脱しない範囲で、任意の期間が表示されることが理解されるであろう。
【０１１８】
また、図３７に描かれているように、実行履歴スクリーン５７２は、グラフ・ボタン５７４を含んでもよく、グラフ・ボタン５７４は、操作された時、グラフフォーマットでの実行履歴情報を表示する。従って、グラフ・ボタン５７４を操作すると、氷生産スクリーン５７６（図３８参照）、エネルギー消費スクリーン５８６（図３９参照）、あるいは水使用スクリーン５８８（図４０参照）が、ポータブル電子デバイス１００のユーザ・インターフェース１０８上に提供される。氷ボタン５８０、エネルギー・ボタン５８２および水ボタン５８４は、氷生産スクリーン５７６、エネルギー消費スクリーン５８６および水使用スクリーン５８８のそれぞれを表示し、氷生産スクリーン５７６、エネルギー消費スクリーン５８６および水使用スクリーン５８８との間の切り替えを可能としてもよい。グラフは、実行履歴の棒グラフを示しており、その棒は、表示された量に基づいて、コード化された色付けされてもよい。例えば、製氷機１０が必要な範囲内の氷の設定量を生産している場合には、その棒は緑色かもしれない。製氷機１０が必要な範囲より下であり、しかし許容範囲内の氷を生産している場合には、その棒は黄色でもよい。製氷機１０が許容範囲より下の氷を生産している場合には、その棒は赤色でもよい。同様のカラーコードはエネルギー消費および水使用（図３９と４０）の表示のために使用されてもよい。さらに、図３８、３９、４０に示されているグラフは棒グラフであり、本発明の範囲を逸脱しない範囲で任意の形式のデータのビジュアル化がなされることは理解されであろう。特定の実施例においては、実行履歴は、後で見るために、印刷されるか、電子メールされるか、ダウンロードされるか、そうでなければ転送されてもよい。また、氷生産スクリーン５７６、エネルギー消費スクリーン５８６および水使用スクリーン５８８のそれぞれは、実行履歴スクリーン・ボタン５７８に戻すことを含んでおり、実行履歴スクリーン・ボタン５７８が操作された時、実行履歴スクリーン５７２が、図３７に示されているように、ポータブル電子デバイス１００のユーザ・インターフェース１０８上に提供される。
【０１１９】
図３５に戻ると、イベント・ログ・ボタン５６４を操作すると、イベント・ログ・スクリーン５９０が、図４１に示されているように、ポータブル電子デバイス１００のユーザ・インターフェース１０８上に提供される。また、アプリケーション１１８のイベント・ログ・ボタン５６４を操作すると、アプリケーション１１８は、製氷機１０のメモリ９０、ポータブル電子デバイス１００のメモリ１１０、ウェブサイト、コンピューターあるいはサーバー１４２、１４４、１４６および／または１４８、リモートサーバー、および／または製氷機１０のイベント・ログ情報を格納する任意の適切な場所に格納されたイベント・ログ情報にアクセスし、読み込む。図４１に描かれているように、イベント・ログ・スクリーン５９０は、限定されるものではないが、履歴スクリーン・ボタン５６８に戻るボタンの集団を含んでいる。また、イベント・ログ・スクリーン５９０は、ポータブル電子デバイス１００が接続される製氷機１０に対応するものに生じた各種の出来事のリストを表示してもよい。特定の実施例においては、イベント・ログ・スクリーン５９０は、製氷機１０のコントローラー８０の入出力のすべての出来事の履歴を表示してもよい。例えば、イベント・ログ・スクリーン５９０は、オン／オフ・ビン・フル状態が検知された日付および／また回数、断水故障モードが検知された日付および／または回数、コンデンサー・ファン１５が遮断および起動された日付および／または回数などを含む各種の出来事を表示する。イベント・ログ・スクリーン５９０に各種出来事を表示することは、コンポーネントの清掃、交換を必要としているかどうか、および／または製氷機１０が適切に動作しているかどうかを判断することの助けとなる。例えば、コンデンサー・ファン１５のオン／オフ回数は、コンデンサーをクリーンにする必要を示す。履歴スクリーン・ボタン５６８に戻す操作は、図３５に示されているように、履歴スクリーン５５８にアプリケーション１１８を戻してもよい。
【０１２０】
図３０に戻ると、ファームウェア・ボタン５３８を操作すると、ファームウェア・スクリーン５９２が、図４２に示されているように、ポータブル電子デバイス１００のユーザ・インターフェース１０８上に提供される。従って、アプリケーション１８８は、製氷機ファームウェア９６ａのバージョンを決定することができ、最新の利用可能なバージョンに製氷機ファームウェア９６ａを更新することができる。また、アプリケーション１１８のファームウェア・ボタン５３８を操作すると、アプリケーション１１８は、製氷機１０のメモリ９０、ポータブル電子デバイス１００のメモリ１１０、ウェブサイト、コンピューターあるいはサーバー１４２、１４４、１４６および／または１４８、リモートサーバー、および／または製氷機１０の製氷機ファームウェア９６ａを格納するあらゆる適切な場所に格納された現在の製氷機ファームウェア９６ａにアクセスし、読み込みおよび／または決定することをもたらす。また、アプリケーション１１８は、製氷機１０のために利用可能な製氷機ファームウェア９６ａの最新バージョンを決定してもよく、ポータブル電子デバイス１００のメモリ１１０に、ウェブサイトに、コンピューターあるいはサーバー１４２、１４４、１４６および／または１４８に、リモートサーバーに、および／または製氷機１０の製氷機ファームウェア９６ａの最新バージョンを格納するあらゆる適切な場所に問い合わせることにより、ポータブル電子デバイス１００が製氷機１０に接続される。従って、ファームウェア・スクリーン５９２は、製氷機１０の現在のファームウェアバージョン、製氷機１０のための最新のファームウェア、および／または製氷機１０の現在のファームウェアが最新かどうか（即ち、利用可能な最新のファームウェアと同じかどうか）を表示する。
【０１２１】
製氷機１０の現在のファームウェアが最新でない場合、更新ファームウェア・ボタン５９４は、ポータブル電子デバイス１００メモリ１１０から、ウェブサイトから、コンピューターあるいはサーバー１４２、１４４、１４６および／または１４８から、リモートサーバーから、および／または製氷機１０の製氷機ファームウェア９６ａの最新バージョンを格納するあらゆる適切な場所から、製氷機ファームウェア９６ａの最新バージョンをダウンロードするように操作されてもよい。そして、そこで製氷機１０のメモリ９０で、ポータブル電子デバイス１００のメモリ１１０で、ウェブサイトで、コンピューターあるいはサーバー１４２、１４４、１４６および／または１４８で、リモートサーバーで、および／または、製氷機１０の製氷機ファームウェア９６ａのバージョンを格納する適切な任意の場所で利用可能な製氷機ファームウェア９６ａの最新バージョンをアップロードする。さらに、ファームウェア・スクリーン５９２は、リストア・ファクトリー・デフォルト・ボタン５９６を含んでおり、リストア・ファクトリー・デフォルト・ボタン５９６は、アプリケーション１１８を、製氷機１０のコントローラー８０の設定のすべてをファクトリー・デフォルトに戻すように操作される。特定の実施例においては、例えば、製氷機ファームウェア９６ａの先のバージョンは、製氷機１０のメモリ９０、ポータブル電子デバイス１００のメモリ１１０、ウェブサイト、コンピューターあるいはサーバー１４２、１４４、１４６および／または１４８、リモートサーバー、および／または製氷機１０の製氷機ファームウェア９６ａのバージョンを格納する適切な任意の場所でアップロードされる。また、ファームウェア・スクリーン５９２は、サービス・スクリーン・ボタン５４２に戻すことを含んでおり、サービス・スクリーン・ボタン５４２が操作された時、図３０に示されているように、サービス・スクリーン５２８へのアプリケーション１１８を戻す。
【０１２２】
図６に戻ると、ヘルプ・ボタン３３４を操作することにより、ヘルプ・スクリーン５９８は、図４３に示されているように、ポータブル電子デバイス１００のユーザ・インターフェース１０８上に提供される。ヘルプ・スクリーン５９８は、限定されるものではないが、メニュー・スクリーン・ボタン３３８、チュートリアル・ボタン６００および一般的質問（ＦＡＱ）ボタン６０２を含むボタンの集団を含んでいる。メニュー・スクリーン・ボタン３３８に戻す操作は、図６に示されているように、メニュー・スクリーン３１４にアプリケーション１１８を戻す。チュートリアル・ボタン６００を操作することにより、アプリケーション１１８を使用方法のプログラムが、ポータブル電子デバイス１００のユーザ・インターフェース１０８上に提供される。一般的質問（ＦＡＱ）ボタン６０２を操作することにより、限定されるものではないが、アプリケーション１１８の使用、製氷機１０、製氷機１０のメーカー、製氷機１０のディーラー、製氷機１０のメーカーによって製造された他の製品などに関する一般的な質問のリストを、ポータブル電子デバイス１００のユーザ・インターフェース１０８上で提供してもよい。
【０１２３】
アプリケーション１１８は、本発明の範囲から逸脱しない範囲で、ポータブル電子デバイス１００のユーザ・インターフェース１０８に提供され、または表示される、追加のおよび／または代替のスクリーンを含むことが理解されであろう。特定の実施例においては、例えば、ファクトリー・スクリーンは、製氷機１０が氷をうまく作ることができたかどうかを判断するために、製氷機１０の品質管理テストを始めるためのボタンを提供するユーザ・インターフェース１０８に表示する。品質管理テスト・ボタンを操作することにより、製氷機１０に製氷テストを開始させる信号を製氷機１０のコントローラー８０に送信する。そこで、コントローラー８０は、ポータブル電子デバイス１００のユーザ・インターフェース１０８上に提供されるテストの結果に関してポータブル電子デバイス１００に信号を送信することができる。その結果には、第１のバッチの氷を作成するためのサイクル・タイムの表示が含まれている。他のボタンも、ファクトリー・スクリーン上に提供されてもよく、他のボタンが操作された時、アプリケーション１１８は、製氷機１０のメモリ９０に、ポータブル電子デバイス１００のメモリ１１０に、ウェブサイトに、コンピューターあるいはサーバー１４２、１４４、１４６および／または１４８に、リモートサーバーに、および／または製氷テストの記録を格納するのに適切な場所に、製氷テストの記録を書き込みし、保存しおよび／またはアップロードさせてもよい。特定の実施例においては、この明細書における別のところでより詳細に述べるように、この記録はサービス記録の集団のうちの１つでもよい。
【０１２４】
他の実施例において、例えば、製氷機１０の日付および時刻を設定するためのサブメニュー、アプリケーション１１８のための日付フォーマット、製氷機１０のインストール日、アプリケーション１１８の言語、アプリケーション１１８の単位系、および／または、製氷機１０のための保証登録オプションは、ポータブル電子デバイス１００のユーザ・インターフェース１０８に表示されてもよい。他の実施例においては、この情報は、ポータブル電子デバイス１００上の他の操作によって設定してもよい。例えば、ポータブル電子デバイス１００がスマートフォンであり、そしてポータブル電子デバイスのオペレーティングシステム１１４における言語と単位が、スペイン語であり、メートル単位系であれば、アプリケーション１１８はスペイン語で表示され、そしてメートル単位系を使用することができる。
【０１２５】
他の実施例においては、例えば、アプリケーション１１８は、ポータブル電子デバイス１００のユーザ・インターフェース１０８に供給スクリーンを表示してもよい。供給スクリーンは、限定されるものではないが、クリーニング・ケミカル・ボタン、クリーニング・キット・ボタン、フィルター・ボタン、パーツ・ボタン、およびサービス・ボタンを含むボタンの集団を表示してもよい。これらのボタンの１つ以上を操作することにより、製氷機１０のためにクリーニング・ケミカル、クリーニング・キット、フィルター、パーツ、およびサービスを購入するためのオプションを提供するスクリーンが、ポータブル電子デバイス１００のユーザ・インターフェース１０８上に表示される。特定の実施例においては、その供給はアプリケーション１１８の内部から購入されてもよい。
【０１２６】
図５−４３は製氷機１０に関して述べているが、冷却装置コントロールアプリケーション１１８は、本発明の範囲から逸脱しない範囲で、同様の方法において商用、家庭用と業務用の冷蔵庫２００および／または冷凍庫２０４と相互連絡し、および／または制御することは理解されるであろう。次に述べる例は、アプリケーション１１８が商用、家庭用と業務用の冷蔵庫２００および／または冷凍庫２０４と相互連絡し、および／または制御する非包括的な記述方法である。従って、アプリケーション１１１８の上記の機能のうちのいくつかあるいはすべてが、本発明の範囲から逸脱しない範囲で、商用、家庭用と業務用の冷蔵庫２００および／または冷凍庫２０４と相互連絡し、および／または制御することが適用されることは理解されるであろう。
【０１２７】
例えば、冷却装置１０００が家庭用の製氷機１０である特定の実施例においては、アプリケーション１１８は内蔵の浄水器を交換するようリマインダがセット・アップされて使用されている。別の実施例において、例えば、冷却装置１０００が家庭用の製氷機１０である場合、アプリケーション１１８がドレン・ポンプの故障モードをチェックする診断ルーチンを開始するために使用されてもよい。また、他の実施例においては、例えば、冷却装置１０００が冷蔵庫２００および／または冷凍庫２０４である場合、アプリケーション１１８がイベント・ログを、図４１に関して記述されたものと同じように、提供し、表示してもよい。例えば、イベント・ログは、限定されるものではないが、オン／オフ・ビン・フル状態が検知された日付および／または回数、エバポレータの温度を読んだ日付および／または回数、コンデンサー・ファン１５がオンおよびオフされた日付および／または回数などを含む各種の出来事を表示してもよい。各種の出来事の表示は、コンポーネントを清掃し、交換することが必要であるかどうか、および／または冷蔵庫２００および／または冷凍庫２０４が適切に動作しているかどうかの判断を補助することができる。例えば、コンデンサー・ファン１５オン／オフ回数は、コンデンサーの清掃を必要とすることを示す。様々な実施例においては、例えば、冷却装置１０００が冷蔵庫２００および／または冷凍庫２０４である場合、冷蔵庫２００および／または冷凍庫２０４は、目詰まりしている、または目詰まりしたコンデンサーを検知することができる気圧センサを含んでいる。アプリケーション１１８は、コンデンサーが清掃および／または交換を必要とするかどうかを判断することに助けとなるように、コンデンサーが目詰まりしている、または目詰まりしたかどうかを提供し、表示してもよい。
【０１２８】
他の実施例においては、例えば、冷却装置１０００が冷蔵庫２００および／または冷凍庫２０４である場合、アプリケーション１１８は、図７−１４に関して記述されたものと同様に、インストール、清掃、サニタイジング（消毒）、シャットダウン（遮断）などのチェックリストを提供し、または表示してもよい。他の実施例においては、例えば、冷却装置１０００が冷蔵庫２００および／または冷凍庫２０４である場合、清掃および／または修理のためのリマインダ、および設定されたリマインダを受け取る受取人は、図１５−１７に関して記述されたものと同様にアプリケーション１１８を使用して設定されてもよい。他の実施例においては、例えば、冷却装置１０００が冷蔵庫２００および／または冷凍庫２０４である場合、アプリケーション１１８は、ポータブル電子デバイス１００が接続される冷蔵庫２００および／または冷凍庫２０４に対応する様々なドキュメントを表示してもよく、限定されるものではないが、図１８−２０に関して記述されたものと同様に、エイジェンシー承認書、パーツマニュアル、サービスマニュアル、ユーザ用マニュアル、性能および仕様書、および保証書などを含む。
【０１２９】
他の実施例においては、例えば、冷却装置１０００が冷蔵庫２００および／または冷凍庫２０４である場合、アプリケーション１１８は、冷蔵庫２００および／または冷凍庫２０４の手動の霜取りを行うためにチェックリストを表示し、または提供してもよい。他の実施例においては、アプリケーション１１８が、冷蔵庫２００および／または冷凍庫２０４のコントローラー８０に霜取りサイクルを開始するように信号を送信してもよい。また、他の実施例においては、例えば、冷却装置１０００が冷蔵庫２００および／または冷凍庫２０４である場合、アプリケーション１１８は冷蔵庫２００および／または冷凍庫２０４のための保証登録を許可してもよい。製氷機１０に関してこの明細書における他の部分でより詳細に述べているように、冷蔵庫２００および／または冷凍庫２０４のための保証登録情報は、アプリケーション１１８に入力されてもよく、アプリケーション１１８は、冷蔵庫２００および／または冷凍庫２０４のメモリ９０に、ポータブル電子デバイス１００のメモリ１１０に、ウェブサイトに、コンピューターあるいはサーバー１４２、１４４、１４６および／または１４８に、リモートサーバーに、および／または冷蔵庫２００および／または冷凍庫２０４の保証登録情報の記録を格納するのに適切な任意の場所に、保証登録情報を、書く込みし、保存し、および／またはアップロードしてもよい。特定の実施例においては、この記録は、この明細書の他の場所でより詳細に述べているようにサービス記録の集団のうちの１つとしてもよい。
【０１３０】
また、他の実施例においては、例えば、冷却装置１０００が冷蔵庫２００および／または冷凍庫２０４である場合、ポータブル電子デバイス１００上のアプリケーション１１８は、図３３−３４に関して記述された診断ルーチンと同様に、診断ルーチンを始めるために、冷蔵庫２００および／または冷凍庫２０４のコントローラー８０に信号を送信し、および／またはコントローラー８０から信号を受信してもよい。そこで、冷蔵庫２００および／または冷凍庫２０４のコントローラー８０は、冷蔵庫２００および／または冷凍庫２０４のコンポーネントの故障モードを検知するために診断ルーチンを行うことができ、ポータブル電子デバイス１００に信号を送って、診断ルーチンの結果を連絡することができる。従って、アプリケーション１１８は、ユーザ・インターフェース１０８上の診断ルーチンの結果を提供し、または表示することができる。
【０１３１】
また、他の実施例においては、冷却装置１０００が冷蔵庫２００および／または冷凍庫２０４である例において、アプリケーション１１８は、限定されるものではないが、コール・アス・および／またはイーメール・アス・ボタンを含むボタンの集団を含んでもよく、これらが操作されたとき、図３１に関して記述されたものと同様に、冷蔵庫２００および／または冷凍庫２０４のメーカー、ディーラー、サービス、工場受付などに対して通話を開始してもよく、および／または電子メールを送信してもよい。
【０１３２】
また、他の実施例においては、冷却装置１０００が冷蔵庫２００および／または冷凍庫２０４である場合、図３１に関して記述したように、また図３２Ａと３２Ｂに関して記述したコントローラー・オーバーライドと同様に、アプリケーション１１８は、アプリケーション１１８が冷蔵庫２００および／または冷凍庫２０４のコントローラー８０を監視し、および／またはオーバーライドすることを許可した冷蔵庫２００および／または冷凍庫２０４のコントローラー８０に信号を送信し、および／またはコントローラー８０から信号を受信してもよい。
【０１３３】
また、他の実施例においては、冷却装置１０００が冷蔵庫２００および／または冷凍庫２０４である場合、アプリケーション１１８はポータブル電子デバイス１００のユーザ・インターフェース１０８に供給スクリーンを表示してもよい。供給スクリーンは、限定されるものではないが、クリーニング・ケミカル・ボタン、クリーニング・キット・ボタン、フィルター・ボタン、パーツ・ボタン、およびサービス・ボタンを含むボタンの集団を表示してもよい。これらのボタンの１つ以上を操作すると、ポータブル電子デバイス１００のユーザ・インターフェース１０８上に、冷蔵庫２００および／または冷凍庫２０４のためのクリーニング・ケミカル、クリーニング・キット、フィルター、パーツ、およびサービスを購入するオプションを提供するスクリーンを表示する。特定の実施例においては、その供給は、アプリケーション１１８の内部から購入することができる。
【０１３４】
次に列挙した実施態様は、本発明の一態様を示するために提供されたものであり、本発明の範囲を制限するように意図したものではない。
【０１３５】
１．ポータブル電子デバイスを使用した冷却装置と相互連絡する方法は、前記冷却装置が１つ以上の冷却コンポーネントを含む冷却システム、および１つ以上の冷却コンポーネントを制御するのに適したコントローラーを含み、前記ポータブル電子デバイスが、前記冷却装置の前記コントローラーと相互連絡するためのアプリケーションを備えており：前記方法は、
前記ポータブル電子デバイスを前記冷却装置に接近して配置する；
前記冷却装置と前記ポータブル電子デバイスとの間の無線通信接続を確立する；および
前記ポータブル電子デバイスが接続される前記冷却装置に対応する前記ポータブル電子デバイスに関する情報を表示する、
ステップを含む。
【０１３６】
２．情報を表示する前記ステップが、前記冷却装置のシリアル番号、前記冷却装置のモデル番号、ファームウェアバージョン、および前記冷却装置の名前の１つ以上を表示することを含む、列挙された実施態様１の方法。
【０１３７】
３．情報を表示する前記ステップが、前記冷却装置をインストールすること、前記冷却装置を清掃すること、前記冷却装置を消毒すること、および拡張された期間、前記冷却装置をシャットダウンすること、の１つ以上のためのチェックリストを表示することを含む、列挙された実施態様１の方法。
【０１３８】
４．表示された前記チェックリストの完了の経過を追跡するためにボタンの集団を操作することをさらに含む、列挙された実施態様３の方法。
【０１３９】
５．１ステップ以上の表示された前記チェックリストを完了し、および／または前記ポータブル電子デバイスから前記冷却装置の前記コントローラーに信号を送るために１つ以上のアクション・ボタンを操作することをさらに含む、列挙された実施態様３の方法。
【０１４０】
６．表示された前記チェックリストを完了すること、および
完了され表示された前記チェックリストのサービス記録を保存すること、さらに含む、列挙された実施態様３の方法。
【０１４１】
７．情報を表示する前記ステップが、１つ以上のサービス記録を表示することを含む、列挙された実施態様１の方法。
【０１４２】
８．１つ以上のサービス記録を加えることをさらに含む、列挙された実施態様７の方法。
【０１４３】
９．前記冷却装置のファームウェアのバージョンを決定すること、
前記ポータブル電子デバイスに決定されたファームウェアバージョンを表示すること、
ポータブル電子デバイスから冷却装置にファームウェアのバージョンをアップロードすること、をさらに含む、列挙された実施態様１の方法。
【０１４４】
１０．情報を表示する前記ステップが、ポータブル電子デバイスが接続される前記冷却装置に対応するドキュメントを表示することを含み、そこで表示された前記ドキュメントが、エイジェンシー承認書、パーツマニュアル、サービスマニュアル、ユーザ用マニュアル、性能および仕様書、および保証書の１つ以上を含む、列挙された実施態様１の方法。
【０１４５】
１１．情報を表示する前記ステップが、前記ポータブル電子デバイスが接続される前記冷却装置の保証ステータスを表示することを含む、列挙された実施態様１の方法。
【０１４６】
１２．情報を表示する前記ステップが、前記冷却装置の現在の動作情報を表示することを含む、列挙された実施態様１の方法。
【０１４７】
１３．情報を表示する前記ステップが、前記冷却装置の動作情報の履歴を表示することを含む、列挙された実施態様１の方法。
【０１４８】
１４．前記ポータブル電子デバイスを使用して前記冷却装置の保証を登録するステップをさらに含む、列挙された実施態様１の方法。
【０１４９】
１５．保証を登録する前記ステップが、前記ポータブル電子デバイスへ保証情報を入力すること、およびウェブサイト、コンピューター、サーバーおよび前記冷却装置の１つ以上へ保証情報をアップロードすること、を含む、列挙された実施態様１４の方法。
【０１５０】
１６．ポータブル電子デバイスの１つ以上の前記冷却コンポーネントの１つ以上の動作設定を設定し、および／または変更する、および
前記ポータブル電子デバイスを使用して冷却装置において設定され、および／または変更された１つ以上の動作設定を保存する、ステップをさらに含む、列挙された実施態様１の方法。
【０１５１】
１７．前記動作設定が、氷の厚み、パージ量、温度、氷生産限度時刻、および最大氷生産限度、の１つ以上を含む、列挙された実施態様１６の方法。
【０１５２】
１８．前記冷却装置の清掃および／またはルーチンサービスのために１つ以上のリマインダを計画すること、および１つ以上の前記リマインダを受け取るために１つ以上の受信者を選択すること、をさらに含む、列挙された実施態様１の方法。
【０１５３】
１９．１つ以上の前記リマインダのそれぞれの頻度が調整可能である、列挙された実施態様１８の方法。
【０１５４】
２０．１つ以上の選択された前記受信者に１つ以上のリマインダを送ることをさらに含む、列挙された実施態様１８の方法。
【０１５５】
２１．テキスト・メッセージ、電子メール、ボイス・メール、通話、インスタント・メッセージ、カレンダーリマインダの１つ以上を介してリマインダが送られる、列挙された実施態様２０の方法。
【０１５６】
２２．前記冷却装置が、冷却システムと水システムを含む製氷機であり、前記冷却システムが、コンプレッサ、コンデンサー・ファンおよびホット・ガス・バルブの１つ以上を含み、および水システムが、および給水ポンプ、給水口バルブおよびパージ・バルブの１つ以上を含む、列挙された実施態様１の方法。
【０１５７】
２３．前記ポータブル電子デバイスから前記製氷機の前記コントローラーへ１つ以上の信号を送ること、および
前記ポータブル電子デバイスから送った１つ以上の信号に応じて、製氷機のコントローラーによって、コンプレッサ、コンデンサー・ファン、ホット・ガス・バルブ、給水ポンプ、給水口バルブおよびパージ・バルブの１つ以上を操作すること、により製氷機のコントローラーをオーバーライドすることをさらに含む、列挙された実施態様２２の方法。
【０１５８】
２４．前記コンプレッサ、前記コンデンサー・ファン、前記ホット・ガス・バルブ、前記給水ポンプ、前記給水口バルブおよび前記パージ・バルブの１つ以上の動作が、ある期間継続する、列挙された実施態様２３の方法。
【０１５９】
２５．前記ある期間が約５秒から約１分である、列挙された実施態様２４の方法。
【０１６０】
２６．前記ポータブル電子デバイスから前記製氷機の前記コントローラーに診断ルーチンを開始するために信号を送ること、および
前記ポータブル電子デバイスから送られた１つ以上の信号に応じて前記製氷機の前記コントローラーによって診断ルーチンを開始すること、および
前記コンプレッサ、前記コンデンサー・ファン、前記ホット・ガス・バルブ、前記給水ポンプ、前記給水口バルブおよび前記パージ・バルブの１つ以上に故障モードが発生しているかどうかを検知するために、前記製氷機の前記コントローラーにより診断ルーチンを実施すること、により製氷機の１つ以上の故障を診断することをさらに含む、列挙された実施態様２２の方法。
【０１６１】
２７．１つ以上の故障モードがコントローラーによって検知された場合、前記ポータブル電子デバイスに１つ以上の検知された故障モードの指示を表示すること、をさらに含む、列挙された実施態様２６の方法。
【０１６２】
２８．前記コンプレッサ、前記コンデンサー・ファン、前記ホット・ガス・バルブ、前記給水ポンプ、前記給水口バルブおよび前記パージ・バルブの１つ以上の故障モードの１つ以上の潜在的な原因を、前記ポータブル電子デバイスに表示すること、をさらに含む、列挙された実施態様２７の方法。
【０１６３】
２９．前記コンプレッサ、前記コンデンサー・ファン、前記ホット・ガス・バルブ、前記給水ポンプ、前記給水口バルブ、および前記パージ・バルブの１つ以上の動作状態を示すように、前記ポータブル電子デバイスから前記製氷機の前記コントローラーに信号を送ること、をさらに含む、列挙された実施態様２６の方法。
【０１６４】
３０．前記コンプレッサ、前記コンデンサー・ファン、前記ホット・ガス・バルブ、前記給水ポンプ、前記給水口バルブおよび前記パージ・バルブの１つ以上の故障モードの１つ以上の潜在的な原因を、前記ポータブル電子デバイスに表示すること、をさらに含む、列挙された実施態様２９の方法。
【０１６５】
３１．前記冷却装置が冷却システムとコンパートメントを備える冷蔵庫であり、前記冷却システムが、コンプレッサ、コンデンサー・ファン、エバポレータ・ファンおよびサーモスタットを備え、前記冷却システムが前記コンパートメントの中の温度を維持するよう構成された、列挙された実施態様１の方法。
【０１６６】
３２．前記ポータブル電子デバイスを使用して前記冷蔵庫の前記コンパートメントの中の温度を設定し、および／または変更すること、をさらに含む、列挙された実施態様３１の方法。
【０１６７】
３３．前記ポータブル電子デバイスから前記冷蔵庫の前記コントローラーへ１つ以上の信号を送ること、および
前記ポータブル電子デバイスから送られた１つ以上の信号に応じて前記コンプレッサ、前記コンデンサー・ファンおよび前記エバポレータ・ファンの１つ以上を、前記冷蔵庫の前記コントローラーによって操作すること、により前記冷蔵庫の前記コントローラーをオーバーライドすることをさらに含む、列挙された実施態様３１の方法。
【０１６８】
３４．前記コンプレッサ、前記コンデンサー・ファンおよび前記エバポレータ・ファンの１つ以上の操作が、ある期間継続する、列挙された実施態様３３の方法。
【０１６９】
３５．前記ある間が約５秒から約１分である、列挙された実施態様３４の方法。
【０１７０】
３６．前記ポータブル電子デバイスから前記冷蔵庫の前記コントローラーへ診断ルーチンを開始するために信号を送ること、そして
前記ポータブル電子デバイスから送られた１つ以上の信号に応じて前記冷蔵庫の前記コントローラーによって診断ルーチンを開始すること、そして
前記コンプレッサ、前記コンデンサー・ファンおよび前記エバポレータ・ファンの１つ以上に故障モードが発生したかどうかを検知するために、前記冷蔵庫の前記コントローラーにより診断ルーチンを実施すること、により前記冷蔵庫の１つ以上の故障を診断することをさらに含む、列挙された実施態様３１の方法。
【０１７１】
３７．１つ以上の故障モードが前記コントローラーによって検知された場合、前記ポータブル電子デバイスに１つ以上の検知された故障モードの指示を表示すること、さらに含む、列挙された実施態様３６の方法。
【０１７２】
３８．前記コンプレッサ、前記コンデンサー・ファンおよび前記エバポレータ・ファンの１つ以上の故障モードの１つ以上の潜在的な原因を、前記ポータブル電子デバイスに表示すること、をさらに含む、列挙された実施態様３７の方法。
【０１７３】
３９．前記ポータブル電子デバイスから前記コンプレッサ、前記コンデンサー・ファンおよび前記エバポレータ・ファンの１つ以上の動作状態を示す前記冷蔵庫の前記コントローラーへ信号を送ること、をさらに含む、列挙された実施態様３６の方法。
【０１７４】
４０．前記コンプレッサ、前記コンデンサー・ファンおよび前記エバポレータ・ファンの１つ以上の故障モードの１つ以上の潜在的な原因を、前記ポータブル電子デバイスに表示することを、さらに含む、列挙された実施態様３９の方法。
【０１７５】
４１．前記冷却装置が冷却システムとコンパートメントを含む冷凍庫であり、前記冷却システムはコンプレッサ、コンデンサー・ファン、エバポレータ・ファンおよびサーモスタットの１つ以上を含み、前記冷却システムが前記コンパートメントの中で温度を維持するよう構成された、列挙された実施態様１の方法。
【０１７６】
４２．前記冷却装置の前記コンパートメントの中で前記ポータブル電子デバイスを使用して、温度が設定され、および／または変更されることをさらに含む、列挙された実施態様４１の方法。
【０１７７】
４３．前記冷凍庫の動作の制御が、霜取サイクルを始めることを含む、列挙された実施態様４１の方法。
【０１７８】
４４．前記ポータブル電子デバイスから前記冷却装置の前記コントローラーへ１つ以上の信号を送ること、および
前記ポータブル電子デバイスから送られた１つ以上の信号に応じて前記コンプレッサ、前記コンデンサー・ファンおよび前記エバポレータ・ファンの１つ以上を、前記冷凍庫の前記コントローラーによって操作すること、により前記冷凍庫の前記コントローラーをオーバーライドすることをさらに含む、列挙された実施態様４１の方法。
【０１７９】
４５．前記コンプレッサ、前記コンデンサー・ファンおよび前記エバポレータ・ファンの１つ以上の動作が、ある期間継続する、列挙された実施態様４４の方法。
【０１８０】
４６．前記ある期間が約５秒から約１分である、列挙された実施態様４５の方法。
【０１８１】
４７．前記ポータブル電子デバイスから前記冷凍庫の前記コントローラーに診断ルーチンを始めるために信号を送ること、および
前記ポータブル電子デバイスから送られた１つ以上の信号に応じて前記冷凍庫の前記コントローラーによって診断ルーチンを始めること、および
前記冷凍庫の前記コントローラーによって、前記コンプレッサ、前記コンデンサー・ファンおよび前記エバポレータ・ファンに１つ以上の故障モードが発生したかどうかを検知するために診断ルーチンを実施すること、により前記冷凍庫の１つ以上の故障を診断することをさらに含む、列挙された実施態様４１の方法。
【０１８２】
４８．１つ以上の故障モードが前記コントローラーによって検知された場合、前記ポータブル電子デバイスに１つ以上の検知された故障モードの指示を表示すること、をさらに含む、列挙された実施態様４７の方法。
【０１８３】
４９．前記コンプレッサ、前記コンデンサー・ファンおよび前記エバポレータ・ファンの１つ以上の故障モードの１つ以上の潜在的な原因を、ポータブル電子デバイスに表示することをさらに含む、列挙された実施態様４８の方法。
【０１８４】
５０．前記コンプレッサ、前記コンデンサー・ファンおよび前記エバポレータ・ファンの１つ以上の動作状態を示すように前記ポータブル電子デバイスから前記冷凍器の前記コントローラーに信号を送ることをさらに含む、列挙された実施態様４７の方法。
【０１８５】
５１．前記コンプレッサ、前記コンデンサー・ファンおよび前記エバポレータ・ファンの１つ以上の故障モードの１つ以上の潜在的な原因を、ポータブル電子デバイスに表示することをさらに含む、列挙された実施態様５０の方法。
【０１８６】
したがって、ポータブル電子デバイスで冷却装置と相互に作用し、および／または制御するために、新規な方法、システムおよび器具が示され、述べられており、これらは前述の従来技術の問題の多くを克服するものである。しかしながら、主題の装置および方法のために、多くの変更、変化、改良およびその他の使用と適用が可能であることは、当分野における人々にとっては明白であろう。本発明の趣旨および範囲から外れない範囲で、そのような全ての変更、変化、改良および他の使用と適用は、以下に続く請求項により限定された発明によってカバーされるであろう。
【図１Ａ】
2016509193.tif 000003
【図１Ｂ】
2016509193.tif 000004
【図１Ｃ】
2016509193.tif 000005
【図２】
2016509193.tif 000006
【図３Ａ】
2016509193.tif 000007
【図３Ｂ】
2016509193.tif 000008
【図３Ｃ】
2016509193.tif 000009
【図４】
2016509193.tif 000010
【図４Ａ】
2016509193.tif 000011
【図４Ｂ】
2016509193.tif 000012
【図４Ｃ】
2016509193.tif 000013
【図４Ｄ】
2016509193.tif 000014
【図４Ｅ】
2016509193.tif 000015
【図４Ｆ】
2016509193.tif 000016
【図４Ｇ】
2016509193.tif 000017
【図５】
2016509193.tif 000018
【図６】
2016509193.tif 000019
【図７】
2016509193.tif 000020
【図８Ａ】
2016509193.tif 000021
【図８Ｂ】
2016509193.tif 000022
【図８Ｃ】
2016509193.tif 000023
【図９】
2016509193.tif 000024
【図１０Ａ】
2016509193.tif 000025
【図１０Ｂ】
2016509193.tif 000026
【図１０Ｃ】
2016509193.tif 000027
【図１１】
2016509193.tif 000028
【図１２】
2016509193.tif 000029
【図１３Ａ】
2016509193.tif 000030
【図１３Ｂ】
2016509193.tif 000031
【図１４】
2016509193.tif 000032
【図１５】
2016509193.tif 000033
【図１６】
2016509193.tif 000034
【図１７】
2016509193.tif 000035
【図１８】
2016509193.tif 000036
【図１９】
2016509193.tif 000037
【図２０】
2016509193.tif 000038
【図２１】
2016509193.tif 000039
【図２２】
2016509193.tif 000040
【図２３】
2016509193.tif 000041
【図２４】
2016509193.tif 000042
【図２５】
2016509193.tif 000043
【図２６】
2016509193.tif 000044
【図２７】
2016509193.tif 000045
【図２８】
2016509193.tif 000046
【図２９】
2016509193.tif 000047
【図３０】
2016509193.tif 000048
【図３１】
2016509193.tif 000049
【図３２Ａ】
2016509193.tif 000050
【図３２Ｂ】
2016509193.tif 000051
【図３３Ａ】
2016509193.tif 000052
【図３３Ｂ】
2016509193.tif 000053
【図３４】
2016509193.tif 000054
【図３５】
2016509193.tif 000055
【図３６】
2016509193.tif 000056
【図３７】
2016509193.tif 000057
【図３８】
2016509193.tif 000058
【図３９】
2016509193.tif 000059
【図４０】
2016509193.tif 000060
【図４１】
2016509193.tif 000061
【図４２】
2016509193.tif 000062
【図４３】
2016509193.tif 000063
【国際調査報告】
2016509193.tif 000064
2016509193.tif 000065